(57)【要約】  本開示は、アップリンクメッセージ伝送方法、装置及び記憶媒体に関し、当該方法は、少なくとも１つの第１の時間単位で第１の物理アップリンク制御チャネルＰＵＣＣＨメッセージ及び第２のＰＵＣＣＨメッセージを同時に伝送する必要がある場合、第１のＰＵＣＣＨメッセージ及び第２のＰＵＣＣＨメッセージのうち１つのＰＵＣＣＨメッセージを伝送し、別のＰＵＣＣＨメッセージの伝送をやめるステップを含む。本開示は、第１のＰＵＣＣＨメッセージと第２のＰＵＣＣＨメッセージの時間領域が重なるという問題を回避し、それにより、第１のＰＵＣＣＨメッセージ及び第２のＰＵＣＣＨメッセージを複数の第２の時間単位で同時に繰り返して伝送するという要求を満たす。【選択図】  図１
2021533642.tif 000002
【特許請求の範囲】
【請求項１】
アップリンクメッセージ伝送方法であって、
少なくとも１つの第１の時間単位で第１の物理アップリンク制御チャネルＰＵＣＣＨメッセージ及び第２のＰＵＣＣＨメッセージを同時に伝送する必要がある場合、前記第１のＰＵＣＣＨメッセージ及び前記第２のＰＵＣＣＨメッセージのうち１つのＰＵＣＣＨメッセージを伝送し、別のＰＵＣＣＨメッセージの伝送をやめるステップであって、前記第１のＰＵＣＣＨメッセージは複数の第２の時間単位で繰り返して伝送されるＰＵＣＣＨメッセージであり、前記第２のＰＵＣＣＨメッセージは１つの第２の時間単位で伝送されるＰＵＣＣＨメッセージ、又は複数の第２の時間単位で伝送されるＰＵＣＣＨメッセージであり、ここで、前記第２の時間単位は複数の前記第１の時間単位を含むステップを含む、
ことを特徴とするアップリンクメッセージ伝送方法。
【請求項２】
前記第１のＰＵＣＣＨメッセージ及び前記第２のＰＵＣＣＨメッセージのうち１つのＰＵＣＣＨメッセージを伝送し、別のＰＵＣＣＨメッセージの伝送をやめるステップは、
前記第１のＰＵＣＣＨメッセージ及び前記第２のＰＵＣＣＨメッセージの伝送を開始する第２の時間単位が同じである場合、前記第１のＰＵＣＣＨメッセージ及び前記第２のＰＵＣＣＨメッセージのうち伝送を開始する第１の時間単位の早いＰＵＣＣＨメッセージを伝送し、伝送を開始する第１の時間単位の遅いＰＵＣＣＨメッセージの伝送をやめるステップと、
前記第１のＰＵＣＣＨメッセージ及び前記第２のＰＵＣＣＨメッセージの伝送を開始する第２の時間単位が異なる場合、前記第１のＰＵＣＣＨメッセージ及び前記第２のＰＵＣＣＨメッセージのうち伝送を開始する第２の時間単位の早いＰＵＣＣＨメッセージを伝送し、伝送を開始する第２の時間単位の遅いＰＵＣＣＨメッセージの伝送をやめるステップと、を含む、
ことを特徴とする請求項１に記載の方法。
【請求項３】
前記第１のＰＵＣＣＨメッセージ及び前記第２のＰＵＣＣＨメッセージのうち１つのＰＵＣＣＨメッセージを伝送し、別のＰＵＣＣＨメッセージの伝送をやめるステップは、
前記第１のＰＵＣＣＨメッセージ及び前記第２のＰＵＣＣＨメッセージの優先度を比較するステップと、
前記第１のＰＵＣＣＨメッセージ及び前記第２のＰＵＣＣＨメッセージのうち優先度の高いＰＵＣＣＨメッセージを選択して伝送し、優先度の低いＰＵＣＣＨメッセージの伝送をやめるステップと、を含む、
ことを特徴とする請求項１に記載の方法。
【請求項４】
前記第１のＰＵＣＣＨメッセージ及び前記第２のＰＵＣＣＨメッセージのうち１つのＰＵＣＣＨメッセージを伝送し、別のＰＵＣＣＨメッセージの伝送をやめるステップは、
前記第１のＰＵＣＣＨメッセージの伝送を開始する第２の時間単位が前記第２のＰＵＣＣＨメッセージの伝送を開始する第２の時間単位より早い場合、前記第２のＰＵＣＣＨメッセージの伝送を開始する前に、前記第１のＰＵＣＣＨメッセージを伝送し、前記第１のＰＵＣＣＨメッセージ及び前記第２のＰＵＣＣＨメッセージの優先度を比較するステップと、
前記第１のＰＵＣＣＨメッセージの優先度が前記第２のＰＵＣＣＨメッセージの優先度より高い場合、前記第１のＰＵＣＣＨメッセージの伝送を続け、前記第２のＰＵＣＣＨメッセージの伝送をやめるステップと、
前記第１のＰＵＣＣＨメッセージの優先度が前記第２のＰＵＣＣＨメッセージの優先度より低い場合、前記第２のＰＵＣＣＨメッセージの伝送を開始する第２の時間単位から、前記第１のＰＵＣＣＨメッセージの伝送をやめ、前記第２のＰＵＣＣＨメッセージの伝送を開始する第２の時間単位から、前記第２のＰＵＣＣＨメッセージを伝送するステップと、を含む、
ことを特徴とする請求項１に記載の方法。
【請求項５】
前記第１のＰＵＣＣＨメッセージ及び前記第２のＰＵＣＣＨメッセージのうち１つのＰＵＣＣＨメッセージを伝送し、別のＰＵＣＣＨメッセージの伝送をやめるステップは、
前記第１のＰＵＣＣＨメッセージ及び前記第２のＰＵＣＣＨメッセージの伝送を開始する前に、前記第１のＰＵＣＣＨメッセージ及び前記第２のＰＵＣＣＨメッセージの優先度を決定するステップと、
前記第１のＰＵＣＣＨメッセージ及び前記第２のＰＵＣＣＨメッセージのうち優先度の高いＰＵＣＣＨメッセージを伝送し、優先度の低いＰＵＣＣＨメッセージの伝送をやめるステップと、を含む、
ことを特徴とする請求項１に記載の方法。
【請求項６】
ＰＵＣＣＨメッセージに運ばれるＵＣＩのタイプ、ＰＵＣＣＨメッセージを繰り返して伝送する回数及びＰＵＣＣＨメッセージの時間リソース又は周波数リソースの配置方式のうちの少なくとも１つに基づいて、前記第１のＰＵＣＣＨメッセージ及び前記第２のＰＵＣＣＨメッセージの優先度を比較し、ここで、前記ＵＣＩのタイプは前記ＵＣＩに運ばれる情報のタイプを含み、前記配置方式は半静的配置及び動的配置を含み、前記ＰＵＣＣＨメッセージは前記第１のＰＵＣＣＨメッセージ及び前記第２のＰＵＣＣＨメッセージを含む、
ことを特徴とする請求項３から５のいずれかに記載の方法。
【請求項７】
少なくとも１つの第１の時間単位で第１の物理アップリンク制御チャネルＰＵＣＣＨメッセージ及び第２のＰＵＣＣＨメッセージを同時に伝送する必要がある場合、前記第１のＰＵＣＣＨメッセージにおける第１のアップリンク制御情報ＵＣＩ及び前記第２のＰＵＣＣＨメッセージにおける第２のＵＣＩを多重化するステップと、
１つのＰＵＣＣＨメッセージを用いて多重化されたＵＣＩを伝送するステップと、を含む、
ことを特徴とするアップリンクメッセージ伝送方法。
【請求項８】
１つのＰＵＣＣＨメッセージを用いて多重化されたＵＣＩを伝送するステップは、
前記第１のＰＵＣＣＨメッセージの伝送を開始する第２の時間単位が前記第２のＰＵＣＣＨメッセージの伝送を開始する第２の時間単位より早い場合、前記第２のＰＵＣＣＨメッセージの伝送を開始する第２の時間単位から、１つのＰＵＣＣＨメッセージを用いて多重化されたＵＣＩを伝送するステップと、
前記第１のＰＵＣＣＨメッセージの伝送を開始する第２の時間単位が前記第２のＰＵＣＣＨメッセージの伝送を開始する第２の時間単位より遅い場合、前記第１のＰＵＣＣＨメッセージの伝送を開始する第２の時間単位から、１つのＰＵＣＣＨメッセージを用いて多重化されたＵＣＩを伝送するステップと、を含む、
ことを特徴とする請求項７に記載の方法。
【請求項９】
１つのＰＵＣＣＨメッセージを用いて多重化されたＵＣＩを伝送するステップは、
前記第１のＰＵＣＣＨメッセージ、前記第２のＰＵＣＣＨメッセージ又は第３のＰＵＣＣＨメッセージのうちいずれか１つのＰＵＣＣＨメッセージを用いて多重化されたＵＣＩを伝送するステップであって、前記第３のＰＵＣＣＨメッセージは前記第１のＰＵＣＣＨメッセージ及び前記第２のＰＵＣＣＨメッセージ以外のＰＵＣＣＨメッセージであり、前記第３のＰＵＣＣＨメッセージは１つの第２の時間単位で伝送されるＰＵＣＣＨメッセージであり、又は前記第３のＰＵＣＣＨメッセージは複数の第２の時間単位で繰り返して伝送されるＰＵＣＣＨメッセージであり、前記第３のＰＵＣＣＨメッセージの伝送を開始する第２の時間単位は前記第１のＰＵＣＣＨメッセージ又は前記第２のＰＵＣＣＨメッセージの伝送を開始する第２の時間単位であるステップを含む、
ことを特徴とする請求項７に記載の方法。
【請求項１０】
前記第１のＰＵＣＣＨメッセージにおける第１のＵＣＩ及び前記第２のＰＵＣＣＨメッセージにおける第２のＵＣＩを多重化するステップは、
前記第１のＰＵＣＣＨメッセージ及び前記第２のＰＵＣＣＨメッセージを同時に伝送する必要がある前記少なくとも１つの第２の時間単位で前記第１のＵＣＩ及び前記第２のＵＣＩを多重化するステップを含む、
ことを特徴とする請求項７に記載の方法。
【請求項１１】
前記第１のＰＵＣＣＨメッセージにおける第１のＵＣＩ及び前記第２のＰＵＣＣＨメッセージにおける第２のＵＣＩを多重化するステップは、
前記第１のＰＵＣＣＨメッセージを繰り返して伝送する第２の時間単位で、又は前記第２のＰＵＣＣＨメッセージを繰り返して伝送する複数の第２の時間単位で前記第１のＵＣＩ及び前記第２のＵＣＩを多重化するステップを含む、
ことを特徴とする請求項７に記載の方法。
【請求項１２】
前記第１のＰＵＣＣＨメッセージを繰り返して伝送する複数の第２の時間単位で、又は前記第２のＰＵＣＣＨメッセージを繰り返して伝送する複数の第２の時間単位で前記第１のＵＣＩ及び前記第２のＵＣＩを多重化するステップは、
前記第１のＰＵＣＣＨメッセージがハイブリッド自動再送要求確認ＨＡＲＱ−ＡＣＫ情報の伝送に用いられ、前記第２のＰＵＣＣＨメッセージがスケジューリング要求ＳＲの伝送に用いられる場合、前記ＳＲはユーザ機器が基地局にアップリンクリソースを要求しないことを表すことに用いられるとき、前記第１のＰＵＣＣＨメッセージを繰り返して伝送する複数の第２の時間単位で前記第１のＰＵＣＣＨメッセージを用いて前記ＨＡＲＱ−ＡＣＫ情報を伝送し、前記ＳＲはユーザ機器が基地局にアップリンクリソースを要求することを表すことに用いられるとき、前記第２のＰＵＣＣＨメッセージを繰り返して伝送する複数の第２の時間単位で前記第２のＰＵＣＣＨメッセージを用いて前記ＨＡＲＱ−ＡＣＫ情報を伝送するステップを含む、
ことを特徴とする請求項１１に記載の方法。
【請求項１３】
アップリンクメッセージ伝送装置であって、
少なくとも１つの第１の時間単位で第１の物理アップリンク制御チャネルＰＵＣＣＨメッセージ及び第２のＰＵＣＣＨメッセージを同時に伝送する必要がある場合、前記第１のＰＵＣＣＨメッセージ及び前記第２のＰＵＣＣＨメッセージのうち１つのＰＵＣＣＨメッセージを伝送し、別のＰＵＣＣＨメッセージの伝送をやめるための第１の伝送モジュールであって、前記第１のＰＵＣＣＨメッセージは複数の第２の時間単位で繰り返して伝送されるＰＵＣＣＨメッセージであり、前記第２のＰＵＣＣＨメッセージは１つの第２の時間単位で伝送されるＰＵＣＣＨメッセージ、又は複数の第２の時間単位で伝送されるＰＵＣＣＨメッセージであり、ここで、前記第２の時間単位は複数の前記第１の時間単位を含むものを含む、
ことを特徴とするアップリンクメッセージ伝送装置。
【請求項１４】
前記第１の伝送モジュールは、
前記第１のＰＵＣＣＨメッセージ及び前記第２のＰＵＣＣＨメッセージの伝送を開始する第２の時間単位が同じである場合、前記第１のＰＵＣＣＨメッセージ及び前記第２のＰＵＣＣＨメッセージのうち伝送を開始する第１の時間単位の早いＰＵＣＣＨメッセージを伝送し、伝送を開始する第１の時間単位の遅いＰＵＣＣＨメッセージの伝送をやめるための第１の伝送サブモジュールと、
前記第１のＰＵＣＣＨメッセージ及び前記第２のＰＵＣＣＨメッセージの伝送を開始する第２の時間単位が異なる場合、前記第１のＰＵＣＣＨメッセージ及び前記第２のＰＵＣＣＨメッセージのうち伝送を開始する第２の時間単位の早いＰＵＣＣＨメッセージを伝送し、伝送を開始する第２の時間単位の遅いＰＵＣＣＨメッセージの伝送をやめるための第２の伝送サブモジュールと、を含む、
ことを特徴とする請求項１３に記載の装置。
【請求項１５】
前記第１の伝送モジュールは、
前記第１のＰＵＣＣＨメッセージ及び前記第２のＰＵＣＣＨメッセージの優先度を比較するための第１の比較サブモジュールと、
前記第１のＰＵＣＣＨメッセージ及び前記第２のＰＵＣＣＨメッセージのうち優先度の高いＰＵＣＣＨメッセージを選択して伝送し、優先度の低いＰＵＣＣＨメッセージの伝送をやめるための第３の伝送サブモジュールと、を含む、
ことを特徴とする請求項１３に記載の装置。
【請求項１６】
前記第１の伝送モジュールは、
前記第１のＰＵＣＣＨメッセージの伝送を開始する第２の時間単位が前記第２のＰＵＣＣＨメッセージの伝送を開始する第２の時間単位より早い場合、前記第２のＰＵＣＣＨメッセージの伝送を開始する前に、前記第１のＰＵＣＣＨメッセージを伝送し、前記第１のＰＵＣＣＨメッセージ及び前記第２のＰＵＣＣＨメッセージの優先度を比較するための第２の比較サブモジュールと、
前記第１のＰＵＣＣＨメッセージの優先度が前記第２のＰＵＣＣＨメッセージの優先度より高い場合、前記第１のＰＵＣＣＨメッセージの伝送を続け、前記第２のＰＵＣＣＨメッセージの伝送をやめるための第４の伝送サブモジュールと、
前記第１のＰＵＣＣＨメッセージの優先度が前記第２のＰＵＣＣＨメッセージの優先度より低い場合、前記第２のＰＵＣＣＨメッセージの伝送を開始する第２の時間単位から、前記第１のＰＵＣＣＨメッセージの伝送をやめ、前記第２のＰＵＣＣＨメッセージの伝送を開始する第２の時間単位から、前記第２のＰＵＣＣＨメッセージを伝送するための第５の伝送サブモジュールと、を含む、
ことを特徴とする請求項１３に記載の装置。
【請求項１７】
前記第１の伝送モジュールは、
前記第１のＰＵＣＣＨメッセージ及び前記第２のＰＵＣＣＨメッセージの伝送を開始する前に、前記第１のＰＵＣＣＨメッセージ及び前記第２のＰＵＣＣＨメッセージの優先度を決定するための決定サブモジュールと、
前記第１のＰＵＣＣＨメッセージ及び前記第２のＰＵＣＣＨメッセージのうち優先度の高いＰＵＣＣＨメッセージを伝送し、優先度の低いＰＵＣＣＨメッセージの伝送をやめるための第６の伝送サブモジュールと、を含む、
ことを特徴とする請求項１３に記載の装置。
【請求項１８】
ＰＵＣＣＨメッセージに運ばれるＵＣＩのタイプ、ＰＵＣＣＨメッセージを繰り返して伝送する回数及びＰＵＣＣＨメッセージの時間リソース又は周波数リソースの配置方式のうちの少なくとも１つに基づいて、前記第１のＰＵＣＣＨメッセージ及び前記第２のＰＵＣＣＨメッセージの優先度を比較し、ここで、前記ＵＣＩのタイプは前記ＵＣＩに運ばれる情報のタイプを含み、前記配置方式は半静的配置及び動的配置を含み、前記ＰＵＣＣＨメッセージは前記第１のＰＵＣＣＨメッセージ及び前記第２のＰＵＣＣＨメッセージを含む、
ことを特徴とする請求項１５から１７のいずれかに記載の装置。
【請求項１９】
少なくとも１つの第１の時間単位で第１のＰＵＣＣＨメッセージ及び第２のＰＵＣＣＨメッセージを同時に伝送する必要がある場合、前記第１のＰＵＣＣＨメッセージにおける第１のアップリンク制御情報ＵＣＩ及び前記第２のＰＵＣＣＨメッセージにおける第２のＵＣＩを多重化するための多重化モジュールと、
１つのＰＵＣＣＨメッセージを用いて多重化されたＵＣＩを伝送するための第２の伝送モジュールと、を含む、
ことを特徴とするアップリンクメッセージ伝送装置。
【請求項２０】
前記第２の伝送モジュールは、
前記第１のＰＵＣＣＨメッセージの伝送を開始する第２の時間単位が前記第２のＰＵＣＣＨメッセージの伝送を開始する第２の時間単位より早い場合、前記第２のＰＵＣＣＨメッセージの伝送を開始する第２の時間単位から、１つのＰＵＣＣＨメッセージを用いて多重化されたＵＣＩを伝送するための第７の伝送サブモジュールと、
前記第１のＰＵＣＣＨメッセージの伝送を開始する第２の時間単位が前記第２のＰＵＣＣＨメッセージの伝送を開始する第２の時間単位より遅い場合、前記第１のＰＵＣＣＨメッセージの伝送を開始する第２の時間単位から、１つのＰＵＣＣＨメッセージを用いて多重化されたＵＣＩを伝送するための第８の伝送サブモジュールと、を含む、
ことを特徴とする請求項１９に記載の装置。
【請求項２１】
前記第２の伝送モジュールは、
前記第１のＰＵＣＣＨメッセージ、前記第２のＰＵＣＣＨメッセージ又は第３のＰＵＣＣＨメッセージのうちいずれか１つのＰＵＣＣＨメッセージを用いて多重化されたＵＣＩを伝送するための第９の伝送サブモジュールであって、前記第３のＰＵＣＣＨメッセージは前記第１のＰＵＣＣＨメッセージ及び前記第２のＰＵＣＣＨメッセージ以外のＰＵＣＣＨメッセージであり、前記第３のＰＵＣＣＨメッセージは１つの第２の時間単位で伝送されるＰＵＣＣＨメッセージであり、又は前記第３のＰＵＣＣＨメッセージは複数の第２の時間単位で繰り返して伝送されるＰＵＣＣＨメッセージであり、前記第３のＰＵＣＣＨメッセージの伝送を開始する第２の時間単位は前記第１のＰＵＣＣＨメッセージ又は前記第２のＰＵＣＣＨメッセージの伝送を開始する第２の時間単位であるものを含む、
ことを特徴とする請求項１９に記載の装置。
【請求項２２】
前記多重化モジュールは、
前記第１のＰＵＣＣＨメッセージ及び前記第２のＰＵＣＣＨメッセージを同時に伝送する必要がある前記少なくとも１つの第２の時間単位で前記第１のＵＣＩ及び前記第２のＵＣＩを多重化するための第１の多重化サブモジュールを含む、
ことを特徴とする請求項１９に記載の装置。
【請求項２３】
前記多重化モジュールは、
前記第１のＰＵＣＣＨメッセージを繰り返して伝送する第２の時間単位で、又は前記第２のＰＵＣＣＨメッセージを繰り返して伝送する複数の第２の時間単位で前記第１のＵＣＩ及び前記第２のＵＣＩを多重化するための第２の多重化サブモジュールを含む、
ことを特徴とする請求項１９に記載の装置。
【請求項２４】
前記多重化モジュールは、
前記第１のＰＵＣＣＨメッセージがハイブリッド自動再送要求確認ＨＡＲＱ−ＡＣＫ情報の伝送に用いられ、前記第２のＰＵＣＣＨメッセージがスケジューリング要求ＳＲの伝送に用いられる場合、前記ＳＲはユーザ機器が基地局にアップリンクリソースを要求しないことを表すことに用いられるとき、前記第１のＰＵＣＣＨメッセージを繰り返して伝送する複数の第２の時間単位で前記第１のＰＵＣＣＨメッセージを用いて前記ＨＡＲＱ−ＡＣＫ情報を伝送し、前記ＳＲはユーザ機器が基地局にアップリンクリソースを要求することを表すことに用いられるとき、前記第２のＰＵＣＣＨメッセージを繰り返して伝送する複数の第２の時間単位で前記第２のＰＵＣＣＨメッセージを用いて前記ＨＡＲＱ−ＡＣＫ情報を伝送するための第３の多重化サブモジュールを含む、
ことを特徴とする請求項２３に記載の装置。
【請求項２５】
プロセッサと、
プロセッサによって実行可能なコマンドを記憶するためのメモリと、を含み、
前記プロセッサは、
少なくとも１つの第１の時間単位で第１の物理アップリンク制御チャネルＰＵＣＣＨメッセージ及び第２のＰＵＣＣＨメッセージを同時に伝送する必要がある場合、前記第１のＰＵＣＣＨメッセージ及び前記第２のＰＵＣＣＨメッセージのうち１つのＰＵＣＣＨメッセージを伝送し、別のＰＵＣＣＨメッセージの伝送をやめるように配置され、ここで、前記第１のＰＵＣＣＨメッセージは複数の第２の時間単位で繰り返して伝送されるＰＵＣＣＨメッセージであり、前記第２のＰＵＣＣＨメッセージは１つの第２の時間単位で伝送されるＰＵＣＣＨメッセージ、又は複数の第２の時間単位で伝送されるＰＵＣＣＨメッセージであり、前記第２の時間単位は複数の前記第１の時間単位を含むように構成される、
ことを特徴とするアップリンクメッセージ伝送装置。
【請求項２６】
非一時的なコンピュータ読み取り可能な記憶媒体であって、
前記記憶媒体におけるコマンドがプロセッサによって実行されると、プロセッサが請求項１から６のいずれかに記載の方法を実行する、
ことを特徴とする非一時的なコンピュータ読み取り可能な記憶媒体。
【請求項２７】
プロセッサと、
プロセッサによって実行可能なコマンドを記憶するためのメモリと、を含み、
前記プロセッサは、
少なくとも１つの第１の時間単位で第１の物理アップリンク制御チャネルＰＵＣＣＨメッセージ及び第２のＰＵＣＣＨメッセージを同時に伝送する必要がある場合、前記第１のＰＵＣＣＨメッセージにおける第１のアップリンク制御情報ＵＣＩ及び前記第２のＰＵＣＣＨメッセージにおける第２のＵＣＩを多重化し、
１つのＰＵＣＣＨメッセージを用いて多重化されたＵＣＩを伝送するように構成される、
ことを特徴とするアップリンクメッセージ伝送装置。
【請求項２８】
非一時的なコンピュータ読み取り可能な記憶媒体であって、
前記記憶媒体におけるコマンドがプロセッサによって実行されると、プロセッサが請求項７から１２のいずれかに記載の方法を実行する、
ことを特徴とする非一時的なコンピュータ読み取り可能な記憶媒体。
【発明の詳細な説明】
【技術分野】
【０００１】
本開示は、通信技術分野に関し、特に、アップリンクメッセージ伝送方法、装置及び記憶媒体に関する。
【背景技術】
【０００２】
関連技術では、同一のユーザ機器は、１つの時間単位、例えば１つの時間スロット（ｓｌｏｔ）において、複数の時間領域で重なるＰＵＣＣＨ（Ｐｈｙｓｉｃａｌ  Ｕｐｌｉｎｋ  Ｃｏｎｔｒｏｌ  Ｃｈａｎｎｅｌ、物理アップリンク制御チャネル）メッセージを伝送するようにスケジューリング又は配置される可能性があり、この場合、同一の時間領域ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重）シンボル（ｓｙｍｂｏｌ）上で複数のＰＵＣＣＨメッセージを送信する必要があるという矛盾が存在する。
【発明の概要】
【発明が解決しようとする課題】
【０００３】
本開示は、関連技術において存在する問題を解消するために、アップリンクメッセージ伝送方法、装置及び記憶媒体を提供する。
【課題を解決するための手段】
【０００４】
本開示の第１の態様により提供されるアップリンクメッセージ伝送方法は、少なくとも１つの第１の時間単位で第１の物理アップリンク制御チャネルＰＵＣＣＨメッセージ及び第２のＰＵＣＣＨメッセージを同時に伝送する必要がある場合、前記第１のＰＵＣＣＨメッセージ及び前記第２のＰＵＣＣＨメッセージのうち１つのＰＵＣＣＨメッセージを伝送し、別のＰＵＣＣＨメッセージの伝送をやめるステップであって、前記第１のＰＵＣＣＨメッセージは複数の第２の時間単位で繰り返して伝送されるＰＵＣＣＨメッセージであり、前記第２のＰＵＣＣＨメッセージは１つの第２の時間単位で伝送されるＰＵＣＣＨメッセージ、又は複数の第２の時間単位で伝送されるＰＵＣＣＨメッセージであり、ここで、前記第２の時間単位は複数の前記第１の時間単位を含むステップを含む。
【０００５】
選択的に、前記第１のＰＵＣＣＨメッセージ及び前記第２のＰＵＣＣＨメッセージのうち１つのＰＵＣＣＨメッセージを伝送し、別のＰＵＣＣＨメッセージの伝送をやめるステップは、前記第１のＰＵＣＣＨメッセージ及び前記第２のＰＵＣＣＨメッセージの伝送を開始する第２の時間単位が同じである場合、前記第１のＰＵＣＣＨメッセージ及び前記第２のＰＵＣＣＨメッセージのうち伝送を開始する第１の時間単位の早いＰＵＣＣＨメッセージを伝送し、伝送を開始する第１の時間単位の遅いＰＵＣＣＨメッセージの伝送をやめるステップと、前記第１のＰＵＣＣＨメッセージ及び前記第２のＰＵＣＣＨメッセージの伝送を開始する第２の時間単位が異なる場合、前記第１のＰＵＣＣＨメッセージ及び前記第２のＰＵＣＣＨメッセージのうち伝送を開始する第２の時間単位の早いＰＵＣＣＨメッセージを伝送し、伝送を開始する第２の時間単位の遅いＰＵＣＣＨメッセージの伝送をやめるステップと、を含む。
【０００６】
選択的に、前記第１のＰＵＣＣＨメッセージ及び前記第２のＰＵＣＣＨメッセージのうち１つのＰＵＣＣＨメッセージを伝送し、別のＰＵＣＣＨメッセージの伝送をやめるステップは、前記第１のＰＵＣＣＨメッセージ及び前記第２のＰＵＣＣＨメッセージの優先度を比較するステップと、前記第１のＰＵＣＣＨメッセージ及び前記第２のＰＵＣＣＨメッセージのうち優先度の高いＰＵＣＣＨメッセージを選択して伝送し、優先度の低いＰＵＣＣＨメッセージの伝送をやめるステップと、を含む。
【０００７】
選択的に、前記第１のＰＵＣＣＨメッセージ及び前記第２のＰＵＣＣＨメッセージのうち１つのＰＵＣＣＨメッセージを伝送し、別のＰＵＣＣＨメッセージの伝送をやめるステップは、前記第１のＰＵＣＣＨメッセージの伝送を開始する第２の時間単位が前記第２のＰＵＣＣＨメッセージの伝送を開始する第２の時間単位より早い場合、前記第２のＰＵＣＣＨメッセージの伝送を開始する前に、前記第１のＰＵＣＣＨメッセージを伝送し、前記第１のＰＵＣＣＨメッセージ及び前記第２のＰＵＣＣＨメッセージの優先度を比較するステップと、前記第１のＰＵＣＣＨメッセージの優先度が前記第２のＰＵＣＣＨメッセージの優先度より高い場合、前記第１のＰＵＣＣＨメッセージの伝送を続け、前記第２のＰＵＣＣＨメッセージの伝送をやめるステップと、前記第１のＰＵＣＣＨメッセージの優先度が前記第２のＰＵＣＣＨメッセージより低い場合、前記第２のＰＵＣＣＨメッセージの伝送を開始する第２の時間単位から、前記第１のＰＵＣＣＨメッセージの伝送をやめ、前記第２のＰＵＣＣＨメッセージの伝送を開始する第２の時間単位から、前記第２のＰＵＣＣＨメッセージを伝送するステップと、を含む。
【０００８】
選択的に、前記第１のＰＵＣＣＨメッセージ及び前記第２のＰＵＣＣＨメッセージのうち１つのＰＵＣＣＨメッセージを伝送し、別のＰＵＣＣＨメッセージの伝送をやめるステップは、前記第１のＰＵＣＣＨメッセージ及び前記第２のＰＵＣＣＨメッセージの伝送を開始する前に、前記第１のＰＵＣＣＨメッセージ及び前記第２のＰＵＣＣＨメッセージの優先度を決定するステップと、前記第１のＰＵＣＣＨメッセージ及び前記第２のＰＵＣＣＨメッセージのうち優先度の高いＰＵＣＣＨメッセージを伝送し、優先度の低いＰＵＣＣＨメッセージの伝送をやめるステップと、を含む。
【０００９】
選択的に、ＰＵＣＣＨメッセージに運ばれるＵＣＩのタイプ、ＰＵＣＣＨメッセージを繰り返して伝送する回数及びＰＵＣＣＨメッセージの時間リソース又は周波数リソースの配置方式のうちの少なくとも１つに基づいて、前記第１のＰＵＣＣＨメッセージ及び前記第２のＰＵＣＣＨメッセージの優先度を比較し、ここで、前記ＵＣＩのタイプは前記ＵＣＩに運ばれる情報のタイプを含み、前記配置方式は半静的配置及び動的配置を含み、前記ＰＵＣＣＨメッセージは前記第１のＰＵＣＣＨメッセージ及び前記第２のＰＵＣＣＨメッセージを含む。
【００１０】
本開示の第２の態様により提供されるアップリンクメッセージ伝送方法は、少なくとも１つの第１の時間単位で第１の物理アップリンク制御チャネルＰＵＣＣＨメッセージ及び第２のＰＵＣＣＨメッセージを同時に伝送する必要がある場合、前記第１のＰＵＣＣＨメッセージにおける第１のアップリンク制御情報ＵＣＩ及び前記第２のＰＵＣＣＨメッセージにおける第２のＵＣＩを多重化するステップと、１つのＰＵＣＣＨメッセージを用いて多重化されたＵＣＩを伝送するステップと、を含む。
【００１１】
選択的に、１つのＰＵＣＣＨメッセージを用いて多重化されたＵＣＩを伝送するステップは、前記第１のＰＵＣＣＨメッセージの伝送を開始する第２の時間単位が前記第２のＰＵＣＣＨメッセージの伝送を開始する第２の時間単位より早い場合、前記第２のＰＵＣＣＨメッセージの伝送を開始する第２の時間単位から、１つのＰＵＣＣＨメッセージを用いて多重化されたＵＣＩを伝送するステップと、前記第１のＰＵＣＣＨメッセージの伝送を開始する第２の時間単位が前記第２のＰＵＣＣＨメッセージの伝送を開始する第２の時間単位より遅い場合、前記第１のＰＵＣＣＨメッセージの伝送を開始する第２の時間単位から、１つのＰＵＣＣＨメッセージを用いて多重化されたＵＣＩを伝送するステップと、を含む。
【００１２】
選択的に、１つのＰＵＣＣＨメッセージを用いて多重化されたＵＣＩを伝送するステップは、前記第１のＰＵＣＣＨメッセージ、前記第２のＰＵＣＣＨメッセージ又は第３のＰＵＣＣＨメッセージのうちいずれか１つのＰＵＣＣＨメッセージを用いて多重化されたＵＣＩを伝送するステップであって、前記第３のＰＵＣＣＨメッセージは前記第１のＰＵＣＣＨメッセージ及び前記第２のＰＵＣＣＨメッセージ以外のＰＵＣＣＨメッセージであり、前記第３のＰＵＣＣＨメッセージは１つの第２の時間単位で伝送されるＰＵＣＣＨメッセージであり、又は前記第３のＰＵＣＣＨメッセージは複数の第２の時間単位で繰り返して伝送されるＰＵＣＣＨメッセージであり、前記第３のＰＵＣＣＨメッセージの伝送を開始する第２の時間単位は前記第１のＰＵＣＣＨメッセージ又は前記第２のＰＵＣＣＨメッセージの伝送を開始する第２の時間単位であるステップを含む。
【００１３】
選択的に、前記第１のＰＵＣＣＨメッセージにおける第１のＵＣＩ及び前記第２のＰＵＣＣＨメッセージにおける第２のＵＣＩを多重化するステップは、前記第１のＰＵＣＣＨメッセージ及び前記第２のＰＵＣＣＨメッセージを同時に伝送する必要がある前記少なくとも１つの第２の時間単位で前記第１のＵＣＩ及び前記第２のＵＣＩを多重化するステップを含む。
【００１４】
選択的に、前記第１のＰＵＣＣＨメッセージにおける第１のＵＣＩ及び前記第２のＰＵＣＣＨメッセージにおける第２のＵＣＩを多重化するステップは、前記第１のＰＵＣＣＨメッセージを繰り返して伝送する第２の時間単位で、又は前記第２のＰＵＣＣＨメッセージを繰り返して伝送する複数の第２の時間単位で前記第１のＵＣＩ及び前記第２のＵＣＩを多重化するステップを含む。
【００１５】
選択的に、前記第１のＰＵＣＣＨメッセージを繰り返して伝送する複数の第２の時間単位で、又は前記第２のＰＵＣＣＨメッセージを繰り返して伝送する複数の第２の時間単位で前記第１のＵＣＩ及び前記第２のＵＣＩを多重化するステップは、前記第１のＰＵＣＣＨメッセージがハイブリッド自動再送要求確認ＨＡＲＱ−ＡＣＫ情報の伝送に用いられ、前記第２のＰＵＣＣＨメッセージがスケジューリング要求ＳＲの伝送に用いられる場合、前記ＳＲはユーザ機器が基地局にアップリンクリソースを要求しないことを表すことに用いられるとき、前記第１のＰＵＣＣＨメッセージを繰り返して伝送する複数の第２の時間単位で前記第１のＰＵＣＣＨメッセージを用いて前記ＨＡＲＱ−ＡＣＫ情報を伝送し、前記ＳＲはユーザ機器が基地局にアップリンクリソースを要求することを表すことに用いられるとき、前記第２のＰＵＣＣＨメッセージを繰り返して伝送する複数の第２の時間単位で前記第２のＰＵＣＣＨメッセージを用いて前記ＨＡＲＱ−ＡＣＫ情報を伝送するステップを含む。
【００１６】
本開示の第３の態様により提供されるアップリンクメッセージ伝送装置は、少なくとも１つの第１の時間単位で第１の物理アップリンク制御チャネルＰＵＣＣＨメッセージ及び第２のＰＵＣＣＨメッセージを同時に伝送する必要がある場合、前記第１のＰＵＣＣＨメッセージ及び前記第２のＰＵＣＣＨメッセージのうち１つのＰＵＣＣＨメッセージを伝送し、別のＰＵＣＣＨメッセージの伝送をやめるための第１の伝送モジュールであって、前記第１のＰＵＣＣＨメッセージは複数の第２の時間単位で繰り返して伝送されるＰＵＣＣＨメッセージであり、前記第２のＰＵＣＣＨメッセージは１つの第２の時間単位で伝送されるＰＵＣＣＨメッセージ、又は複数の第２の時間単位で伝送されるＰＵＣＣＨメッセージであり、ここで、前記第２の時間単位は複数の前記第１の時間単位を含むものを含む。
【００１７】
選択的に、前記第１の伝送モジュールは、前記第１のＰＵＣＣＨメッセージ及び前記第２のＰＵＣＣＨメッセージの伝送を開始する第２の時間単位が同じである場合、前記第１のＰＵＣＣＨメッセージ及び前記第２のＰＵＣＣＨメッセージのうち伝送を開始する第１の時間単位の早いＰＵＣＣＨメッセージを伝送し、伝送を開始する第１の時間単位の遅いＰＵＣＣＨメッセージの伝送をやめるための第１の伝送サブモジュールと、前記第１のＰＵＣＣＨメッセージ及び前記第２のＰＵＣＣＨメッセージの伝送を開始する第２の時間単位が異なる場合、前記第１のＰＵＣＣＨメッセージ及び前記第２のＰＵＣＣＨメッセージのうち伝送を開始する第２の時間単位の早いＰＵＣＣＨメッセージを伝送し、伝送を開始する第２の時間単位の遅いＰＵＣＣＨメッセージの伝送をやめるための第２の伝送サブモジュールと、を含む。
【００１８】
選択的に、前記第１の伝送モジュールは、前記第１のＰＵＣＣＨメッセージ及び前記第２のＰＵＣＣＨメッセージの優先度を比較するための第１の比較サブモジュールと、前記第１のＰＵＣＣＨメッセージ及び前記第２のＰＵＣＣＨメッセージのうち優先度の高いＰＵＣＣＨメッセージを選択して伝送し、優先度の低いＰＵＣＣＨメッセージの伝送をやめるための第３の伝送サブモジュールと、を含む。
【００１９】
選択的に、前記第１の伝送モジュールは、前記第１のＰＵＣＣＨメッセージの伝送を開始する第２の時間単位が前記第２のＰＵＣＣＨメッセージの伝送を開始する第２の時間単位より早い場合、前記第２のＰＵＣＣＨメッセージの伝送を開始する前に、前記第１のＰＵＣＣＨメッセージを伝送し、前記第１のＰＵＣＣＨメッセージ及び前記第２のＰＵＣＣＨメッセージの優先度を比較するための第２の比較サブモジュールと、前記第１のＰＵＣＣＨメッセージの優先度が前記第２のＰＵＣＣＨメッセージの優先度より高い場合、前記第１のＰＵＣＣＨメッセージの伝送を続け、前記第２のＰＵＣＣＨメッセージの伝送をやめるための第４の伝送サブモジュールと、前記第１のＰＵＣＣＨメッセージの優先度が前記第２のＰＵＣＣＨメッセージより低い場合、前記第２のＰＵＣＣＨメッセージの伝送を開始する第２の時間単位から、前記第１のＰＵＣＣＨメッセージの伝送をやめ、前記第２のＰＵＣＣＨメッセージの伝送を開始する第２の時間単位から、前記第２のＰＵＣＣＨメッセージを伝送するための第５の伝送サブモジュールと、を含む。
【００２０】
選択的に、前記第１の伝送モジュールは、前記第１のＰＵＣＣＨメッセージ及び前記第２のＰＵＣＣＨメッセージの伝送を開始する前に、前記第１のＰＵＣＣＨメッセージ及び前記第２のＰＵＣＣＨメッセージの優先度を決定するための決定サブモジュールと、前記第１のＰＵＣＣＨメッセージ及び前記第２のＰＵＣＣＨメッセージのうち優先度の高いＰＵＣＣＨメッセージを伝送し、優先度の低いＰＵＣＣＨメッセージの伝送をやめるための第６の伝送サブモジュールと、を含む。
【００２１】
選択的に、ＰＵＣＣＨメッセージに運ばれるＵＣＩのタイプ、ＰＵＣＣＨメッセージを繰り返して伝送する回数及びＰＵＣＣＨメッセージの時間リソース又は周波数リソースの配置方式のうちの少なくとも１つに基づいて、前記第１のＰＵＣＣＨメッセージ及び前記第２のＰＵＣＣＨメッセージの優先度を比較し、ここで、前記ＵＣＩのタイプは前記ＵＣＩに運ばれる情報のタイプを含み、前記配置方式は半静的配置及び動的配置を含み、前記ＰＵＣＣＨメッセージは前記第１のＰＵＣＣＨメッセージ及び前記第２のＰＵＣＣＨメッセージを含む。
【００２２】
本開示の第４の態様により提供されるアップリンクメッセージ伝送装置は、少なくとも１つの第１の時間単位で第１のＰＵＣＣＨメッセージ及び第２のＰＵＣＣＨメッセージを同時に伝送する必要がある場合、前記第１のＰＵＣＣＨメッセージにおける第１のアップリンク制御情報ＵＣＩ及び前記第２のＰＵＣＣＨメッセージにおける第２のＵＣＩを多重化するための多重化モジュールと、１つのＰＵＣＣＨメッセージを用いて多重化されたＵＣＩを伝送するための第２の伝送モジュールと、を含む。
【００２３】
選択的に、前記第２の伝送モジュールは、前記第１のＰＵＣＣＨメッセージの伝送を開始する第２の時間単位が前記第２のＰＵＣＣＨメッセージの伝送を開始する第２の時間単位より早い場合、前記第２のＰＵＣＣＨメッセージの伝送を開始する第２の時間単位から、１つのＰＵＣＣＨメッセージを用いて多重化されたＵＣＩを伝送するための第７の伝送サブモジュールと、前記第１のＰＵＣＣＨメッセージの伝送を開始する第２の時間単位が前記第２のＰＵＣＣＨメッセージの伝送を開始する第２の時間単位より遅い場合、前記第１のＰＵＣＣＨメッセージの伝送を開始する第２の時間単位から、１つのＰＵＣＣＨメッセージを用いて多重化されたＵＣＩを伝送するための第８の伝送サブモジュールと、を含む。
【００２４】
選択的に、前記第２の伝送モジュールは、前記第１のＰＵＣＣＨメッセージ、前記第２のＰＵＣＣＨメッセージ又は第３のＰＵＣＣＨメッセージのうちいずれか１つのＰＵＣＣＨメッセージを用いて多重化されたＵＣＩを伝送するための第９の伝送サブモジュールであって、前記第３のＰＵＣＣＨメッセージは前記第１のＰＵＣＣＨメッセージ及び前記第２のＰＵＣＣＨメッセージ以外のＰＵＣＣＨメッセージであり、前記第３のＰＵＣＣＨメッセージは１つの第２の時間単位で伝送されるＰＵＣＣＨメッセージであり、又は前記第３のＰＵＣＣＨメッセージは複数の第２の時間単位で繰り返して伝送されるＰＵＣＣＨメッセージであり、前記第３のＰＵＣＣＨメッセージの伝送を開始する第２の時間単位は前記第１のＰＵＣＣＨメッセージ又は前記第２のＰＵＣＣＨメッセージの伝送を開始する第２の時間単位であるものを含む。
【００２５】
選択的に、前記多重化モジュールは、前記第１のＰＵＣＣＨメッセージ及び前記第２のＰＵＣＣＨメッセージを同時に伝送する必要がある前記少なくとも１つの第２の時間単位で前記第１のＵＣＩ及び前記第２のＵＣＩを多重化するための第１の多重化サブモジュールを含む。
【００２６】
選択的に、前記多重化モジュールは、前記第１のＰＵＣＣＨメッセージを繰り返して伝送する第２の時間単位で、又は前記第２のＰＵＣＣＨメッセージを繰り返して伝送する複数の第２の時間単位で前記第１のＵＣＩ及び前記第２のＵＣＩを多重化するための第２の多重化サブモジュールを含む。
【００２７】
選択的に、前記多重化モジュールは、前記第１のＰＵＣＣＨメッセージがハイブリッド自動再送要求確認ＨＡＲＱ−ＡＣＫ情報の伝送に用いられ、前記第２のＰＵＣＣＨメッセージがスケジューリング要求ＳＲの伝送に用いられる場合、前記ＳＲはユーザ機器が基地局にアップリンクリソースを要求しないことを表すことに用いられるとき、前記第１のＰＵＣＣＨメッセージを繰り返して伝送する複数の第２の時間単位で前記第１のＰＵＣＣＨメッセージを用いて前記ＨＡＲＱ−ＡＣＫ情報を伝送し、前記ＳＲはユーザ機器が基地局にアップリンクリソースを要求することを表すことに用いられるとき、前記第２のＰＵＣＣＨメッセージを繰り返して伝送する複数の第２の時間単位で前記第２のＰＵＣＣＨメッセージを用いて前記ＨＡＲＱ−ＡＣＫ情報を伝送するための第３の多重化サブモジュールを含む。
【００２８】
本開示の第５の態様により提供されるアップリンクメッセージ伝送装置は、プロセッサと、プロセッサによって実行可能なコマンドを記憶するためのメモリと、を含み、ここで、前記プロセッサは、少なくとも１つの第１の時間単位で第１の物理アップリンク制御チャネルＰＵＣＣＨメッセージ及び第２のＰＵＣＣＨメッセージを同時に伝送する必要がある場合、前記第１のＰＵＣＣＨメッセージ及び前記第２のＰＵＣＣＨメッセージのうち１つのＰＵＣＣＨメッセージを伝送し、別のＰＵＣＣＨメッセージの伝送をやめるように構成され、ここで、前記第１のＰＵＣＣＨメッセージは複数の第２の時間単位で繰り返して伝送されるＰＵＣＣＨメッセージであり、前記第２のＰＵＣＣＨメッセージは１つの第２の時間単位で伝送されるＰＵＣＣＨメッセージ、又は複数の第２の時間単位で伝送されるＰＵＣＣＨメッセージであり、ここで、前記第２の時間単位は複数の前記第１の時間単位を含む。
【００２９】
本開示の第６の態様により提供される非一時的なコンピュータ読み取り可能な記憶媒体は、前記記憶媒体におけるコマンドがプロセッサによって実行されると、プロセッサが本開示の第１の態様に記載の方法を実行する。
【００３０】
本開示の第７の態様により提供されるアップリンクメッセージ伝送装置は、プロセッサと、プロセッサによって実行可能なコマンドを記憶するためのメモリと、を含み、ここで、前記プロセッサは、少なくとも１つの第１の時間単位で第１の物理アップリンク制御チャネルＰＵＣＣＨメッセージ及び第２のＰＵＣＣＨメッセージを同時に伝送する必要がある場合、前記第１のＰＵＣＣＨメッセージにおける第１のアップリンク制御情報ＵＣＩ及び前記第２のＰＵＣＣＨメッセージにおける第２のＵＣＩを多重化し、１つのＰＵＣＣＨメッセージを用いて多重化されたＵＣＩを伝送するように構成される。
【００３１】
本開示の第８の態様により提供される非一時的なコンピュータ読み取り可能な記憶媒体は、前記記憶媒体におけるコマンドがプロセッサによって実行されると、プロセッサが本開示の第２の態様に記載の方法を実行できることを可能にする。
【発明の効果】
【００３２】
本開示の実施例によって提供される技術案は、以下の有益な効果を含む。
【００３３】
本実施例のアップリンクメッセージ伝送方法は、複数の第２の時間単位で繰り返して伝送される第１のＰＵＣＣＨメッセージと１つの第２の時間単位で伝送されるか、又は複数の第２の時間単位で繰り返して伝送される第２のＰＵＣＣＨメッセージに時間領域の重なりが存在する場合、両者のうち１つのＰＵＣＣＨメッセージを選択して伝送し、別のＰＵＣＣＨメッセージの伝送をやめ、又は、両者のＵＣＩを多重化した後に１つのＰＵＣＣＨメッセージを用いて多重化されたＵＣＩを伝送することで、第１のＰＵＣＣＨメッセージと第２のＰＵＣＣＨメッセージの時間領域が重なるという問題を回避し、それにより、第１のＰＵＣＣＨメッセージ及び第２のＰＵＣＣＨメッセージを複数の第２の時間単位で同時に繰り返して伝送するという要求を満たす。
【００３４】
以上の一般的な説明及び以下の詳細な説明は例示的かつ説明的なのものにすぎず、本開示を限定するものではないことを理解されたい。
【図面の簡単な説明】
【００３５】
本明細書に組み込まれ、本明細書の一部を構成する添付の図面は、本開示に合致する実施例を示し、明細書と共に本開示の原理を説明する役割を果たす。
【図１】例示的な一実施例に係るアップリンクメッセージ伝送方法のフローチャートである。
【図２】例示的な一実施例に係るアップリンクメッセージ伝送方法のフローチャートである。
【図３Ａ】例示的な一実施例に係る複数のｓｌｏｔにおける第１のＰＵＣＣＨメッセージの繰り返し伝送及び複数のｓｌｏｔにおける第２のＰＵＣＣＨメッセージの繰り返し伝送の概略図である。
【図３Ｂ】本実施例に係る複数のｓｌｏｔにおける第１のＰＵＣＣＨメッセージの繰り返し伝送及び１つのｓｌｏｔにおける第２のＰＵＣＣＨメッセージの伝送の概略図である。
【図４】例示的な一実施例に係るアップリンクメッセージ伝送方法のフローチャートである。
【図５】例示的な一実施例に係るアップリンクメッセージ伝送方法のフローチャートである。
【図６Ａ】例示的な一実施例に係る複数のｓｌｏｔにおけるＰＵＣＣＨ１メッセージの繰り返し伝送及び複数のｓｌｏｔにおけるＰＵＣＣＨ２メッセージの繰り返し伝送の概略図である。
【図６Ｂ】本実施例に係る複数のｓｌｏｔにおけるＰＵＣＣＨ１メッセージの繰り返し伝送及び１つのｓｌｏｔにおけるＰＵＣＣＨ２メッセージの伝送の概略図である。
【図７】例示的な一実施例に係るアップリンクメッセージ伝送方法のフローチャートである。
【図８Ａ】例示的な一実施例に係る複数のｓｌｏｔにおけるＰＵＣＣＨ１メッセージの繰り返し伝送及び複数のｓｌｏｔにおけるＰＵＣＣＨ２メッセージの繰り返し伝送の概略図である。
【図８Ｂ】例示的な一実施例に係る複数のｓｌｏｔにおけるＰＵＣＣＨ１メッセージの繰り返し伝送及び１つのｓｌｏｔにおけるＰＵＣＣＨ２メッセージの伝送の概略図である。
【図９】例示的な一実施例に係るアップリンクメッセージ伝送方法のフローチャートである。
【図１０】例示的な一実施例に係るアップリンクメッセージ伝送方法のフローチャートである。
【図１１】例示的な一実施例に係るアップリンクメッセージ伝送方法のフローチャートである。
【図１２】例示的な一実施例に係るアップリンクメッセージ伝送方法のフローチャートである。
【図１３Ａ】例示的な一実施例に係る複数のｓｌｏｔにおけるＰＵＣＣＨ１メッセージの伝送及び複数のｓｌｏｔにおけるＰＵＣＣＨ２メッセージの伝送の概略図である。
【図１３Ｂ】例示的な一実施例に係る複数のｓｌｏｔにおけるＰＵＣＣＨ１メッセージの伝送及び複数のｓｌｏｔにおけるＰＵＣＣＨ２メッセージの伝送の概略図である。
【図１４】例示的な一実施例に係るアップリンクメッセージ伝送方法のフローチャートである。
【図１５】例示的な一実施例に係るアップリンクメッセージ伝送方法のフローチャートである。
【図１６Ａ】例示的な一実施例に係る複数のｓｌｏｔにおけるＰＵＣＣＨ１メッセージの繰り返し伝送及び複数のｓｌｏｔにおけるＰＵＣＣＨ２メッセージの繰り返し伝送の概略図である。
【図１６Ｂ】例示的な一実施例に係る複数のｓｌｏｔにおけるＰＵＣＣＨ１メッセージの繰り返し伝送及び複数のｓｌｏｔにおけるＰＵＣＣＨ２メッセージの繰り返し伝送の概略図である。
【図１７Ａ】例示的な一実施例に係る複数のｓｌｏｔにおけるＰＵＣＣＨ１メッセージの繰り返し伝送及び複数のｓｌｏｔにおけるＰＵＣＣＨ２メッセージの繰り返し伝送の概略図である。
【図１７Ｂ】例示的な一実施例に係る複数のｓｌｏｔにおけるＰＵＣＣＨ１メッセージの繰り返し伝送及び複数のｓｌｏｔにおけるＰＵＣＣＨ２メッセージの繰り返し伝送の概略図である。
【図１８】例示的な一実施例に係るアップリンクメッセージ伝送装置のブロック図である。
【図１９】例示的な一実施例に係るアップリンクメッセージ伝送装置のブロック図である。
【図２０】例示的な一実施例に係るアップリンクメッセージ伝送装置のブロック図である。
【図２１】例示的な一実施例に係るアップリンクメッセージ伝送装置のブロック図である。
【図２２】例示的な一実施例に係るアップリンクメッセージ伝送装置のブロック図である。
【図２３】例示的な一実施例に係るアップリンクメッセージ伝送装置のブロック図である。
【図２４】例示的な一実施例に係るアップリンクメッセージ伝送装置のブロック図である。
【図２５】例示的な一実施例に係るアップリンクメッセージ伝送装置のブロック図である。
【発明を実施するための形態】
【００３６】
ここで、例示的な実施例について詳細に説明し、その例を図面に示す。以下の説明が図面に関連する場合、他に断らない限り、異なる図面における同じ数字は同じ又は類似の要素を示す。以下の例示的な実施例に記載される実施形態は、本開示と一致する全ての実施形態を表すものではない。それどころか、それらは添付の特許請求の範囲に詳述される、本開示のいくつかの態様と一致する装置及び方法の例にすぎない。
【００３７】
図１は例示的な一実施例に係るアップリンクメッセージ伝送方法のフローチャートであり、当該方法は端末に適用することができ、すなわち当該方法は端末によって実行することができ。図１に示すように、当該方法は、ステップ１０１とステップ１０２とを含んでもよい。
【００３８】
ステップ１０１において、少なくとも１つの第１の時間単位で第１のＰＵＣＣＨメッセージ及び第２のＰＵＣＣＨメッセージを同時に伝送する必要があるか否かを判断する。
【００３９】
１つの可能な実現形態では、第１の時間単位は、ＯＦＤＭ時間領域ｓｙｍｂｏｌ（シンボル）又はｓｙｍｂｏｌより小さい他の時間単位とすることができる。
【００４０】
１つの可能な実現形態では、例えば基地局から端末へ送信されたスケジューリング要求のような基地局による端末に対する配置又は基地局による端末に対するスケジューリングに基づいて、少なくとも１つの第１の時間単位で第１のＰＵＣＣＨメッセージ及び第２のＰＵＣＣＨメッセージを同時に伝送する必要があるか否かを判断する。
【００４１】
本明細書において、少なくとも１つの第１の時間単位で第１のＰＵＣＣＨメッセージ及び第２のＰＵＣＣＨメッセージを同時に伝送する必要があることは、第１のＰＵＣＣＨメッセージと第２のＰＵＣＣＨメッセージに時間領域の重なり又は時間領域の衝突が存在／発生することと呼ぶことができる。
【００４２】
ステップ１０２において、第１のＰＵＣＣＨメッセージ及び第２のＰＵＣＣＨメッセージのうち１つのＰＵＣＣＨメッセージを伝送し、別のＰＵＣＣＨメッセージの伝送をやめる。
【００４３】
ここで、第１のＰＵＣＣＨメッセージは複数の第２の時間単位で繰り返して伝送されるＰＵＣＣＨメッセージであり、第２のＰＵＣＣＨメッセージは１つの第２の時間単位で伝送されるＰＵＣＣＨメッセージ又は複数の第２の時間単位で繰り返して伝送されるＰＵＣＣＨメッセージであり、ここで、第２の時間単位は複数の第１の時間単位を含む。ここで、１つの第２の時間単位で伝送されるＰＵＣＣＨメッセージは、１つの第２の時間単位で１回伝送されるＰＵＣＣＨメッセージを表し、当該ＰＵＣＣＨメッセージは他の第２の時間単位で繰り返して伝送されることがなく、複数の第２の時間単位で繰り返して伝送されるＰＵＣＣＨメッセージは、複数の第２の時間単位で順次１回伝送されるＰＵＣＣＨメッセージであり、例えば、ＰＵＣＣＨメッセージを３回繰り返して伝送する必要がある場合は、３つの第２の時間単位で当該ＰＵＣＣＨメッセージを順次１回伝送することができる。
【００４４】
１つの可能な実現形態では、第２の時間単位はＯＦＤＭ時間領域ｓｌｏｔ（時間スロット）とすることができる。
【００４５】
本実施例のアップリンクメッセージ伝送方法は、複数の第２の時間単位で繰り返して伝送される第１のＰＵＣＣＨメッセージと１つの第２の時間単位で伝送されるか、又は複数の第２の時間単位で繰り返して伝送される第２のＰＵＣＣＨメッセージに時間領域の重なりが存在する場合、両者のうち１つのＰＵＣＣＨメッセージを選択して伝送し、別のＰＵＣＣＨメッセージの伝送をやめることで、第１のＰＵＣＣＨメッセージと第２のＰＵＣＣＨメッセージの時間領域が重なるという問題を回避し、それにより、第１のＰＵＣＣＨメッセージ及び第２のＰＵＣＣＨメッセージを複数の第２の時間単位で同時に繰り返して伝送するという要求を満たす。
【００４６】
図２は例示的な一実施例に係るアップリンクメッセージ伝送方法のフローチャートであり、図２に示すように、当該方法において、第１のＰＵＣＣＨメッセージ及び第２のＰＵＣＣＨメッセージのうち１つのＰＵＣＣＨメッセージを伝送し、別のＰＵＣＣＨメッセージの伝送をやめるステップは、第１のＰＵＣＣＨメッセージ及び第２のＰＵＣＣＨメッセージの伝送を開始する第２の時間単位が同じであり、すなわち、両者はいずれも同一の第２の時間単位で伝送を開始する場合、第１のＰＵＣＣＨメッセージ及び第２のＰＵＣＣＨメッセージのうち伝送を開始する第１の時間単位の早いＰＵＣＣＨメッセージを伝送し、伝送を開始する第１の時間単位の遅いＰＵＣＣＨメッセージの伝送をやめ、第１のＰＵＣＣＨメッセージ及び第２のＰＵＣＣＨメッセージの伝送を開始する第２の時間単位が異なる場合、第１のＰＵＣＣＨメッセージ及び第２のＰＵＣＣＨメッセージのうち伝送を開始する第２の時間単位の早いＰＵＣＣＨメッセージを伝送し、伝送を開始する第２の時間単位の遅いＰＵＣＣＨメッセージの伝送をやめるステップ１０２１を含んでもよい。図３Ａは本実施例に係る複数のｓｌｏｔにおける第１のＰＵＣＣＨメッセージの繰り返し伝送及び複数のｓｌｏｔにおける第２のＰＵＣＣＨメッセージの繰り返し伝送の概略図であり、図３Ａに示すように、ｓｌｏｔ１、ｓｌｏｔ２、ｓｌｏｔ３及びｓｌｏｔ４においてＰＵＣＣＨ１メッセージ（第１のＰＵＣＣＨメッセージの一例である）を繰り返して伝送し、ｓｌｏｔ３、ｓｌｏｔ４、ｓｌｏｔ５及びｓｌｏｔ６においてＰＵＣＣＨ２メッセージ（第２のＰＵＣＣＨメッセージの一例である）を繰り返して伝送し、ここで、ＰＵＣＣＨ１メッセージの伝送を開始する第２の時間単位はｓｌｏｔ１であり、ＰＵＣＣＨ２メッセージの伝送を開始する第２の時間単位はｓｌｏｔ３にあり、ＰＵＣＣＨ１メッセージとＰＵＣＣＨ２メッセージはｓｌｏｔ３及びｓｌｏｔ４において時間領域の重なりが存在し、ＰＵＣＣＨ１メッセージの伝送を開始するｓｌｏｔ１がＰＵＣＣＨ２メッセージの伝送を開始するｓｌｏｔ３より早いので、ＰＵＣＣＨ１メッセージを伝送し、ＰＵＣＣＨ２メッセージの伝送をやめる。図３Ｂは本実施例に係る複数のｓｌｏｔにおける第１のＰＵＣＣＨメッセージの繰り返し伝送及び１つのｓｌｏｔにおける第２のＰＵＣＣＨメッセージの伝送の概略図であり、図３Ｂに示すように、ｓｌｏｔ１、ｓｌｏｔ２、ｓｌｏｔ３及びｓｌｏｔ４においてＰＵＣＣＨ１メッセージを繰り返して伝送し、ｓｌｏｔ３においてＰＵＣＣＨ２メッセージを伝送し、同様に、ＰＵＣＣＨ１メッセージの伝送を開始するｓｌｏｔ１がＰＵＣＣＨ２メッセージの伝送を開始するｓｌｏｔ３より早いので、ＰＵＣＣＨ１メッセージを伝送し、ＰＵＣＣＨ２メッセージの伝送をやめる。
【００４７】
図４は例示的な一実施例に係るアップリンクメッセージ伝送方法のフローチャートであり、図４に示すように、当該方法において、第１のＰＵＣＣＨメッセージ及び第２のＰＵＣＣＨメッセージのうち１つのＰＵＣＣＨメッセージを伝送し、別のＰＵＣＣＨメッセージの伝送をやめるステップは、第１のＰＵＣＣＨメッセージ及び第２のＰＵＣＣＨメッセージの優先度を比較するステップ１０２３と、第１のＰＵＣＣＨメッセージ及び第２のＰＵＣＣＨメッセージのうち優先度の高いＰＵＣＣＨメッセージを選択して伝送し、優先度の低いＰＵＣＣＨメッセージの伝送をやめるステップ１０２４と、を含んでもよい。第１のＰＵＣＣＨメッセージの伝送開始及び第２のＰＵＣＣＨメッセージの伝送開始の前、すなわち第１のＰＵＣＣＨメッセージ及び第２のＰＵＣＣＨメッセージの伝送を開始する時間単位の前に、第１のＰＵＣＣＨメッセージ及び第２のＰＵＣＣＨメッセージの優先度を比較してもよいし、第１のＰＵＣＣＨメッセージと第２のＰＵＣＣＨに時間領域の重なりが発生する時に、第１のＰＵＣＣＨメッセージ及び第２のＰＵＣＣＨメッセージの優先度を比較してもよい。第１のＰＵＣＣＨメッセージ及び第２のＰＵＣＣＨメッセージに運ばれるＵＣＩのタイプに基づいて比較してもよく、例えば、ＨＡＲＱ（Ｈｙｂｒｉｄ  Ａｕｔｏｍａｔｉｃ  Ｒｅｐｅａｔ  ｒｅＱｕｅｓｔ、ハイブリッド自動再送要求）−ＡＣＫ（Ａｃｋｎｏｗｌｅｄｇｅｍｅｎｔ、確認文字）情報をサポートするＵＣＩのＰＵＣＣＨメッセージの優先度は、ＣＳＩを担持するＵＣＩのＰＵＣＣＨメッセージの優先度より高く、また、第１のＰＵＣＣＨメッセージ及び第２のＰＵＣＣＨメッセージの繰り返し伝送の回数に基づいて両者の優先度を比較してもよく、例えば、両者のうち繰り返し伝送の回数が多いＰＵＣＣＨメッセージは優先度が高く、繰り返し伝送の回数が少ないＰＵＣＣＨメッセージは優先度が低く、さらに、第１のＰＵＣＣＨメッセージ及び第２のＰＵＣＣＨメッセージの時間周波数リソースの配置方式に基づいて両者の優先度を比較してもよく、例えば、動的指示により時間リソース又は周波数リソースを得るＰＵＣＣＨメッセージの優先度は、半静的配置に基づいて時間リソース又は周波数リソースを得るＰＵＣＣＨメッセージの優先度より高い。また、第１のＰＵＣＣＨメッセージ及び第２のＰＵＣＣＨメッセージの伝送を開始する第２の時間単位の先後順に基づいて両者の優先度を比較してもよく、例えば、伝送を開始する第２の時間単位の早いＰＵＣＣＨメッセージの優先度は、伝送を開始する第２の時間単位の遅いＰＵＣＣＨメッセージの優先度より高い。
【００４８】
図５は例示的な一実施例に係るアップリンクメッセージ伝送方法のフローチャートであり、図５に示すように、当該方法において、第１のＰＵＣＣＨメッセージ及び第２のＰＵＣＣＨメッセージのうち１つのＰＵＣＣＨメッセージを伝送し、別のＰＵＣＣＨメッセージの伝送をやめるステップは、ステップ１０２５とステップ１０２６と、を含んでもよい。ステップ１０２５において、第１のＰＵＣＣＨメッセージの伝送を開始する第２の時間単位が第２のＰＵＣＣＨメッセージの伝送を開始する第２の時間単位より早い場合、第２のＰＵＣＣＨメッセージの伝送を開始する前に、第１のＰＵＣＣＨメッセージを伝送し、第１のＰＵＣＣＨメッセージ及び第２のＰＵＣＣＨメッセージの優先度を比較し、ここで、第１のＰＵＣＣＨメッセージの伝送を開始する第２の時間単位が第２のＰＵＣＣＨメッセージの伝送を開始する第２の時間単位より早いことは、すなわち第１のＰＵＣＣＨの伝送を開始する第２の時間単位が第２のＰＵＣＣＨメッセージの伝送を開始する第２の時間単位の前にあることであり、第１のＰＵＣＣＨメッセージの伝送を開始する第２の時間単位が第２のＰＵＣＣＨメッセージの伝送を開始する第２の時間単位より遅いことは、すなわち第１のＰＵＣＣＨメッセージの伝送を開始する第２の時間単位が第２のＰＵＣＣＨメッセージの伝送を開始する第２の時間単位の後にあることである。ステップ１０２６において、第１のＰＵＣＣＨメッセージの優先度が第２のＰＵＣＣＨメッセージの優先度より高い場合、第１のＰＵＣＣＨメッセージの伝送を続け、第２のＰＵＣＣＨメッセージの伝送をやめ、この時、第２のＰＵＣＣＨメッセージの伝送をまだ開始していないので、第２のＰＵＣＣＨメッセージの伝送を直接やめる。第１のＰＵＣＣＨメッセージの優先度が第２のＰＵＣＣＨメッセージの優先度より低い場合、第２のＰＵＣＣＨメッセージの伝送を開始する第２の時間単位から、第１のＰＵＣＣＨメッセージの伝送をやめ、第２のＰＵＣＣＨメッセージの伝送を開始する第２の時間単位から、第２のＰＵＣＣＨメッセージを伝送し、第２のＰＵＣＣＨメッセージの伝送を開始する前に、第１のＰＵＣＣＨメッセージがすでに伝送されているので、第２のＰＵＣＣＨメッセージの伝送を開始する第２の時間単位から、第１のＰＵＣＣＨメッセージの伝送をやめる。図６Ａは本実施例に係る複数のｓｌｏｔにおけるＰＵＣＣＨ１メッセージの繰り返し伝送及び複数のｓｌｏｔにおけるＰＵＣＣＨ２メッセージの繰り返し伝送の概略図であり、ＰＵＣＣＨ１メッセージの優先度がＰＵＣＣＨ２メッセージの優先度より低く、ＰＵＣＣＨ１メッセージの伝送を開始するｓｌｏｔはｓｌｏｔ１であり、ＰＵＣＣＨ２メッセージの伝送を開始するｓｌｏｔはｓｌｏｔ３であり、このため、ｓｌｏｔ１とｓｌｏｔ３との間にＰＵＣＣＨ１メッセージとＰＵＣＣＨ２メッセージの優先度を比較し、ＰＵＣＣＨ１メッセージの優先度がＰＵＣＣＨ２メッセージの優先度より低いと決定すると、ｓｌｏｔ３においてＰＵＣＣＨ１メッセージの伝送をやめ、ＰＵＣＣＨ２メッセージの伝送を開始することとしてもよい。図６Ｂは本実施例に係る複数のｓｌｏｔにおけるＰＵＣＣＨ１メッセージの繰り返し伝送及び１つのｓｌｏｔにおけるＰＵＣＣＨ２メッセージの伝送の概略図であり、図６Ｂに示すように、ｓｌｏｔ１とｓｌｏｔ３との間にＰＵＣＣＨ１メッセージの優先度がＰＵＣＣＨ２メッセージの優先度より低いと判断すれば、ＰＵＣＣＨ２メッセージの伝送を開始するｓｌｏｔ３においてＰＵＣＣＨ１メッセージの伝送をやめ、ＰＵＣＣＨ２メッセージの伝送を開始する。
【００４９】
図７は例示的な一実施例に係るアップリンクメッセージ伝送方法のフローチャートであり、図７に示すように、当該方法において、第１のＰＵＣＣＨメッセージ及び第２のＰＵＣＣＨメッセージのうち１つのＰＵＣＣＨメッセージを伝送し、別のＰＵＣＣＨメッセージの伝送をやめるステップは、第１のＰＵＣＣＨメッセージ及び第２のＰＵＣＣＨメッセージの伝送を開始する前に、第１のＰＵＣＣＨメッセージ及び第２のＰＵＣＣＨメッセージの優先度を決定するステップ１０２８と、第１のＰＵＣＣＨメッセージ及び第２のＰＵＣＣＨメッセージのうち優先度の高いＰＵＣＣＨメッセージを伝送し、優先度の低いＰＵＣＣＨメッセージの伝送をやめるステップ１０２９と、を含んでもよい。図８Ａは本実施例に係る複数のｓｌｏｔにおけるＰＵＣＣＨ１メッセージの繰り返し伝送及び複数のｓｌｏｔにおけるＰＵＣＣＨ２メッセージの繰り返し伝送の概略図であり、図８Ａに示すように、ＰＵＣＣＨ１メッセージ及びＰＵＣＣＨ２メッセージの伝送を開始する前に、ＰＵＣＣＨ１メッセージの優先度がＰＵＣＣＨ２メッセージの優先度より低いと決定すると、ＰＵＣＣＨ１メッセージを繰り返して伝送する必要がある全てのｓｌｏｔ、すなわちｓｌｏｔ１、ｓｌｏｔ２、ｓｌｏｔ３及びｓｌｏｔ４においてＰＵＣＣＨ１メッセージの伝送をやめ、ＰＵＣＣＨ２メッセージの伝送を開始するｓｌｏｔ３においてＰＵＣＣＨ２メッセージの伝送を開始する。図８Ｂは本実施例に係る複数のｓｌｏｔにおけるＰＵＣＣＨ１メッセージの繰り返し伝送及び１つのｓｌｏｔにおけるＰＵＣＣＨ２メッセージの伝送の概略図であり、図８Ｂに示すように、ＰＵＣＣＨ１メッセージ及びＰＵＣＣＨ２メッセージの伝送を開始する前に、ＰＵＣＣＨ１メッセージの優先度がＰＵＣＣＨ２の優先度より低いと決定すると、ＰＵＣＣＨ１メッセージとＰＵＣＣＨ２メッセージに時間領域の重なりが発生するｓｌｏｔ３及びｓｌｏｔ４において、ＰＵＣＣＨ１メッセージの伝送をやめ、ＰＵＣＣＨ２メッセージの伝送を開始する。
【００５０】
１つの可能な実現形態では、ＰＵＣＣＨメッセージに運ばれるＵＣＩのタイプ、ＰＵＣＣＨメッセージの繰り返し伝送の回数及びＰＵＣＣＨメッセージの時間周波数リソースの配置方式のうちの少なくとも１つに基づいて、第１のＰＵＣＣＨメッセージ及び第２のＰＵＣＣＨメッセージの優先度を比較することができ、ここで、ＵＣＩのタイプはＵＣＩに運ばれる情報のタイプを含み、配置方式は半静的配置及び動的配置を含む。端末は以上のいずれか１つに基づいて第１のＰＵＣＣＨメッセージ及び第２のＰＵＣＣＨメッセージの優先度を比較してもよいし、以上のいずれか２つ又は３つに基づいて第１のＰＵＣＣＨメッセージ及び第２のＰＵＣＣＨメッセージの優先度を比較してもよく、この場合、以上のそれぞれに異なる重みを設定することができ、各ＰＵＣＣＨメッセージのそれぞれを加重和することにより、第１のＰＵＣＣＨメッセージ及び第２のＰＵＣＣＨメッセージに対応する優先度を得る。
【００５１】
図９は例示的な一実施例に係るアップリンクメッセージ伝送方法のフローチャートであり、当該方法は端末に適用され、すなわち当該方法は端末によって実行することができ、図９に示すように、当該方法はステップ１０３とステップ１０４とを含む。
【００５２】
ステップ１０３において、第１のＰＵＣＣＨメッセージにおける第１のＵＣＩ（Ｕｐｌｉｎｋ  Ｃｏｎｔｒｏｌ  Ｉｎｆｏｒｍａｔｉｏｎ、アップリンク制御情報）及び第２のＰＵＣＣＨメッセージにおける第２のＵＣＩを多重化する。
【００５３】
１つの可能な実現形態では、チャネル符号化、符号分割多重又は周波数分割多重の方式により、第１のＵＣＩ及び第２のＵＣＩを多重化することができる。
【００５４】
ステップ１０４において、１つのＰＵＣＣＨメッセージを用いて多重化されたＵＣＩを伝送する。
【００５５】
１つの可能な実現形態では、第１のＰＵＣＣＨメッセージ、第２のＰＵＣＣＨメッセージ又は両者以外の他のＰＵＣＣＨメッセージを用いて多重化されたＵＣＩを伝送することができる。
【００５６】
本実施例のアップリンクメッセージ伝送方法は、複数の第２の時間単位で繰り返して伝送される第１のＰＵＣＣＨメッセージと１つの第２の時間単位で伝送されるか、又は複数の第２の時間単位で繰り返して伝送される第２のＰＵＣＣＨメッセージに時間領域の重なりが存在する場合、両者のＵＣＩを多重化した後に１つのＰＵＣＣＨメッセージを用いて多重化されたＵＣＩを伝送することで、第１のＰＵＣＣＨメッセージと第２のＰＵＣＣＨメッセージの時間領域が重なるという問題を回避し、それにより、第１のＰＵＣＣＨメッセージ及び第２のＰＵＣＣＨメッセージを複数の第２の時間単位で同時に繰り返して伝送するという要求を満たす。
【００５７】
図１０は例示的な一実施例に係るアップリンクメッセージ伝送方法の概略図であり、図１０に示すように、当該方法において、１つのＰＵＣＣＨメッセージを用いて多重化されたＵＣＩを伝送するステップは、第１のＰＵＣＣＨメッセージの伝送を開始する第２の時間単位が第２のＰＵＣＣＨメッセージの伝送を開始する第２の時間単位より早い場合、第２のＰＵＣＣＨメッセージの伝送を開始する第２の時間単位から、１つのＰＵＣＣＨメッセージを用いて多重化されたＵＣＩを伝送し、第１のＰＵＣＣＨメッセージの伝送を開始する第２の時間単位が第２のＰＵＣＣＨメッセージの伝送を開始する第２の時間単位より遅い場合、第１のＰＵＣＣＨメッセージの伝送を開始する第２の時間単位から、１つのＰＵＣＣＨメッセージを用いて多重化されたＵＣＩを伝送するステップ１０４１を含んでもよい。当該多重化されたＵＣＩは第１のＵＣＩ及び第２のＵＣＩを多重化することによって得ることができる。本実施例の方法において、第１のＰＵＣＣＨメッセージ及び第２のＰＵＣＣＨメッセージのうち伝送を開始する第２の時間単位の遅いＰＵＣＣＨメッセージの伝送を開始する第２の時間単位のみで両者に運ばれるＵＣＩを多重化すればよく、多重化するＵＣＩの数を減少し、かつ、第１のＰＵＣＣＨメッセージと第２のＰＵＣＣＨメッセージとの間に時間領域の重なりが存在するという問題を解決する。
【００５８】
図１１は例示的な一実施例に係るアップリンクメッセージ伝送方法の概略図であり、図１１に示すように、当該方法において、１つのＰＵＣＣＨメッセージを用いて多重化されたＵＣＩを伝送するステップは、第１のＰＵＣＣＨメッセージ、第２のＰＵＣＣＨメッセージ又は第３のＰＵＣＣＨメッセージのうちいずれか１つのＰＵＣＣＨメッセージを用いて多重化されたＵＣＩを伝送するステップ１０４２であって、当該第３のＰＵＣＣＨメッセージは第１のＰＵＣＣＨメッセージ及び第２のＰＵＣＣＨメッセージ以外のＰＵＣＣＨメッセージであり、当該第３のＰＵＣＣＨメッセージは１つの第２の時間単位で伝送されるＰＵＣＣＨメッセージであり、又は当該第３のＰＵＣＣＨメッセージは複数の第２の時間単位で繰り返して伝送されるＰＵＣＣＨメッセージであり、当該第３のＰＵＣＣＨメッセージの伝送を開始する第２の時間単位は第１のＰＵＣＣＨメッセージ又は第２のＰＵＣＣＨメッセージの伝送を開始する第２の時間単位であるステップを含んでもよい。第３のＰＵＣＣＨメッセージを用いて多重化されたＵＣＩを伝送する場合、当該第３のＰＵＣＣＨメッセージを繰り返して伝送する第２の時間単位の数は第１のＰＵＣＣＨメッセージを繰り返して伝送する回数又は第２のＰＵＣＣＨメッセージを繰り返して伝送する第２の時間単位の数とすることができ、実際の伝送要求に応じて、第１のＰＵＣＣＨメッセージ及び第２のＰＵＣＣＨメッセージのうち、繰り返して伝送する第２の時間単位が多いか、又は少ないＰＵＣＣＨメッセージの繰り返し伝送の回数を選択して当該第３のＰＵＣＣＨメッセージの繰り返し伝送の回数とすることができる。
【００５９】
図１２は例示的な一実施例に係るアップリンクメッセージ伝送方法のフローチャートであり、図１２に示すように、当該方法において、第１のＰＵＣＣＨメッセージにおける第１のＵＣＩ及び第２のＰＵＣＣＨメッセージにおける第２のＵＣＩを多重化するステップは、第１のＰＵＣＣＨメッセージ及び第２のＰＵＣＣＨメッセージを同時に伝送する必要がある少なくとも１つの第２の時間単位で第１のＵＣＩ及び第２のＵＣＩを多重化し、すなわち第１のＰＵＣＣＨメッセージと第２のＰＵＣＣＨメッセージに時間領域の重なりが発生する第２の時間単位で第１のＵＣＩ及び第２のＵＣＩを多重化するステップ１０３１を含んでもよい。図１３Ａは本実施例に係る複数のｓｌｏｔにおけるＰＵＣＣＨ１メッセージの伝送及び複数のｓｌｏｔにおけるＰＵＣＣＨ２メッセージの伝送の概略図であり、ここで、ＰＵＣＣＨ１メッセージ及びＰＵＣＣＨ２メッセージのＰＵＣＣＨフォーマットはいずれもＰＵＣＣＨ  ｆｏｒｍａｔ１であり、ＰＵＣＣＨ１はＨＡＲＱ−ＡＣＫ情報の伝送に用いられ、ＰＵＣＣＨ２はＳＲ（Ｓｃｈｅｄｕｌｉｎｇ  Ｒｅｑｕｅｓｔ、スケジューリング要求）情報の伝送に用いられ、ＰＵＣＣＨ１メッセージ及びＰＵＣＣＨ２メッセージにおけるＵＣＩの多重化とは、ＳＲの値が正である場合、ＰＵＣＣＨ２メッセージを用いてＨＡＲＱ−ＡＣＫ情報を伝送し、ＳＲの値が負である場合、ＰＵＣＣＨ１メッセージを用いてＨＡＲＱ−ＡＣＫ情報を伝送するものとしてもよい。図１３Ａに示すように、ＰＵＣＣＨ１メッセージ及びＰＵＣＣＨ２メッセージは図１３Ａに示されるｓｌｏｔ３及びｓｌｏｔ４において時間領域が重なり、ＳＲの値が負である場合、ｓｌｏｔ３及びｓｌｏｔ４においてＰＵＣＣＨ１メッセージにおけるＨＡＲＱ−ＡＣＫ及びＰＵＣＣＨ２メッセージにおけるＳＲを多重化し、すなわちｓｌｏｔ３及びｓｌｏｔ４においてＰＵＣＣＨ１メッセージを用いてＨＡＲＱ−ＡＣＫ情報を伝送する。図１３Ｂは本実施例に係る複数のｓｌｏｔにおけるＰＵＣＣＨ１メッセージの伝送及び複数のｓｌｏｔにおけるＰＵＣＣＨ２メッセージの伝送の概略図である。図１３Ｂに示すように、ＳＲの値が正である場合、図１３Ｂに示されるｓｌｏｔ３及びｓｌｏｔ４においてＰＵＣＣＨ２メッセージを用いてＨＡＲＱ−ＡＣＫ情報を伝送する。本実施例の方法において、第１のＰＵＣＣＨメッセージと第２のＰＵＣＣＨメッセージに時間領域の重なりが発生する第２の時間単位のみで両者に運ばれるＵＣＩを伝送することができ、両者に時間領域の重なりが発生していない第２の時間単位でそれぞれの伝送要求に従って伝送することができ、ＵＣＩを多重化する操作の回数を減少する。
【００６０】
図１４は例示的な一実施例に係るアップリンクメッセージ伝送方法のフローチャートであり、図１４に示すように、当該方法において、第１のＰＵＣＣＨメッセージにおける第１のＵＣＩ及び第２のＰＵＣＣＨメッセージにおける第２のＵＣＩを多重化するステップは、第１のＰＵＣＣＨメッセージを繰り返して伝送する複数の第２の時間単位で、又は第２のＰＵＣＣＨメッセージを繰り返して伝送する複数の第２の時間単位で第１のＵＣＩ及び第２のＵＣＩを多重化するステップ１０３２を含んでもよい。当該方法と図１２に示される方法との異なる箇所は、当該方法において第１のＰＵＣＣＨメッセージと第２のＰＵＣＣＨメッセージに時間領域の重なりが発生する第２の時間単位で第１のＵＣＩ及び第２のＵＣＩを多重化し伝送する必要があるだけでなく、また、第１のＰＵＣＣＨメッセージを繰り返して伝送する他の第２の時間単位でも第１のＵＣＩ及び第２のＵＣＩを多重化し伝送し、又は、第２のＰＵＣＣＨメッセージを繰り返して伝送する他の第２の時間単位でも第１のＵＣＩ及び第２のＵＣＩを多重化し伝送することにある。
【００６１】
図１５は例示的な一実施例に係るアップリンクメッセージ伝送方法のフローチャートであり、図１５に示すように、当該方法において、第１のＰＵＣＣＨメッセージを繰り返して伝送する複数の第２の時間単位で、又は第２のＰＵＣＣＨメッセージを繰り返して伝送する複数の第２の時間単位で第１のＵＣＩ及び第２のＵＣＩを多重化するステップは、第１のＰＵＣＣＨメッセージがＨＡＲＱ−ＡＣＫ情報の伝送に用いられ、第２のＰＵＣＣＨメッセージがＳＲの伝送に用いられる場合、ＳＲはユーザ機器が基地局にアップリンクリソースを要求しないことを表すことに用いられるとき、例えばＳＲの値が負（Ｎｅｇａｔｉｖｅ）であるとき、第１のＰＵＣＣＨメッセージを繰り返して伝送する複数の第２の時間単位で第１のＰＵＣＣＨメッセージを用いてＨＡＲＱ−ＡＣＫ情報を伝送し、ＳＲはユーザ機器が基地局にアップリンクリソースを要求することを表すことに用いられるとき、例えばＳＲの値が正（Ｐｏｓｉｔｉｖｅ）であるとき、第２のＰＵＣＣＨメッセージを繰り返して伝送する複数の第２の時間単位で第２のＰＵＣＣＨメッセージを用いてＨＡＲＱ−ＡＣＫ情報を伝送するステップ１０３３を含んでもよい。図１６Ａは本実施例に係る複数のｓｌｏｔにおけるＰＵＣＣＨ１メッセージの繰り返し伝送及び複数のｓｌｏｔにおけるＰＵＣＣＨ２メッセージの繰り返し伝送の概略図であり、図１６Ａに示すように、ＳＲの値が負である場合、ＰＵＣＣＨ１メッセージを繰り返して伝送するｓｌｏｔ１、ｓｌｏｔ２、ｓｌｏｔ３及びｓｌｏｔ４においてＨＡＲＱ−ＡＣＫメッセージを伝送し、図１６Ｂは本実施例に係る複数のｓｌｏｔにおけるＰＵＣＣＨ１メッセージの繰り返し伝送及び複数のｓｌｏｔにおけるＰＵＣＣＨ２メッセージの繰り返し伝送の概略図である。図１６Ｂに示すように、ＳＲの値が正である場合、ＰＵＣＣＨ２メッセージを繰り返して伝送するｓｌｏｔ３、ｓｌｏｔ４、ｓｌｏｔ５及びｓｌｏｔ６においてＨＡＲＱ−ＡＣＫメッセージを伝送する。
【００６２】
１つの可能な実現形態では、第１のＰＵＣＣＨメッセージ及び第２のＰＵＣＣＨメッセージはいずれも複数のｓｌｏｔにおいて繰り返して伝送されるＰＵＣＣＨメッセージであり、第１のＰＵＣＣＨメッセージのＰＵＣＣＨ  ｆｏｒｍａｔ（フォーマット）はｆｏｒｍａｔ１又はｆｏｒｍａｔ３であり、ＡＣＫ１の伝送に用いられ、それは４つのｓｌｏｔに繰り返して伝送され、第２のＰＵＣＣＨメッセージのＰＵＣＣＨ  ｆｏｒｍａｔはｆｏｒｍａｔ１又はｆｏｒｍａｔ３であり、ＡＣＫ２又はＣＳＩの伝送に用いられ、それは４つのｓｌｏｔに繰り返して伝送され、第１のＰＵＣＣＨメッセージと第２のＰＵＣＣＨメッセージに時間領域の重なりが存在する場合、時間領域の重なりが発生するｓｌｏｔから、第１のＵＣＩ及び第２のＵＣＩを多重化し伝送し、時間領域の重なりが発生する前のｓｌｏｔについては、ＰＵＣＣＨメッセージの伝送をそのまま保持してもよいし、当該ＰＵＣＣＨメッセージの伝送をやめてもよい。図１７Ａに示すように、ＰＵＣＣＨ１メッセージの伝送を開始するｓｌｏｔは図１７Ａに示されるｓｌｏｔ１であり、ＰＵＣＣＨ２メッセージの伝送を開始するｓｌｏｔは図１７Ａに示されるｓｌｏｔ３であり、ＰＵＣＣＨ１メッセージ及びＰＵＣＣＨ２メッセージは図１７Ａに示されるｓｌｏｔ３及びｓｌｏｔ４において時間領域の重なりが発生すると、ＰＵＣＣＨ１メッセージのｓｌｏｔ１及びｓｌｏｔ２における伝送を保持し、すなわち、依然としてｓｌｏｔ１及びｓｌｏｔ２においてＰＵＣＣＨ１メッセージを伝送し、ＰＵＣＣＨ１メッセージとＰＵＣＣＨ２メッセージに時間領域の重なりが発生するｓｌｏｔ及びＰＵＣＣＨ１メッセージを繰り返して伝送する他のｓｌｏｔにおいて第１のＵＣＩ及び第２のＵＣＩの多重化後に得られるＰＵＣＣＨ３メッセージを伝送する。図１７Ｂに示すように、ＰＵＣＣＨ１メッセージの伝送を開始するｓｌｏｔはｓｌｏｔ１であり、ＰＵＣＣＨ２メッセージの伝送を開始するｓｌｏｔはｓｌｏｔ３であり、ＰＵＣＣＨ１メッセージ及びＰＵＣＣＨ２メッセージはｓｌｏｔ３及びｓｌｏｔ４に時間領域の重なりが発生すると、ＰＵＣＣＨ１メッセージのｓｌｏｔ１及びｓｌｏｔ２における伝送を取り消し、すなわち、ＰＵＣＣＨ１メッセージの伝送を開始する時間単位で当該ＰＵＣＣＨ１メッセージの伝送をやめ、ＰＵＣＣＨ１メッセージとＰＵＣＣＨ２メッセージに時間領域の重なりが発生するｓｌｏｔ３及びｓｌｏｔ４、並びにＰＵＣＣＨ２メッセージを繰り返して伝送する他のｓｌｏｔ、すなわちｓｌｏｔ５及びｓｌｏｔ６においてＰＵＣＣＨ３メッセージを伝送する。
【００６３】
図１８は例示的な一実施例に係るアップリンクメッセージ伝送装置のブロック図であり、図１８に示すように、当該装置１７０は、
少なくとも１つの第１の時間単位で第１のＰＵＣＣＨメッセージ及び第２のＰＵＣＣＨメッセージを同時に伝送する必要がある場合、前記第１のＰＵＣＣＨメッセージ及び前記第２のＰＵＣＣＨメッセージのうち１つのＰＵＣＣＨメッセージを伝送し、別のＰＵＣＣＨメッセージの伝送をやめるための第１の伝送モジュール１７１であって、前記第１のＰＵＣＣＨメッセージは複数の第２の時間単位で繰り返して伝送されるＰＵＣＣＨメッセージであり、前記第２のＰＵＣＣＨメッセージは１つの第２の時間単位で伝送されるＰＵＣＣＨメッセージ、又は複数の第２の時間単位で伝送されるＰＵＣＣＨメッセージであり、ここで、前記第２の時間単位は複数の前記第１の時間単位を含むものを含む。
【００６４】
図１９は例示的な一実施例に係るアップリンクメッセージ伝送装置のブロック図であり、図１９に示すように、装置１８０において、前記第１の伝送モジュール１７１は、前記第１のＰＵＣＣＨメッセージ及び前記第２のＰＵＣＣＨメッセージの伝送を開始する第２の時間単位が同じである場合、前記第１のＰＵＣＣＨメッセージ及び前記第２のＰＵＣＣＨメッセージのうち伝送を開始する第１の時間単位の早いＰＵＣＣＨメッセージを伝送し、伝送を開始する第１の時間単位の遅いＰＵＣＣＨメッセージの伝送をやめるための第１の伝送サブモジュール１７１１と、前記第１のＰＵＣＣＨメッセージ及び前記第２のＰＵＣＣＨメッセージの伝送を開始する第２の時間単位が異なる場合、前記第１のＰＵＣＣＨメッセージ及び前記第２のＰＵＣＣＨメッセージのうち伝送を開始する第２の時間単位の早いＰＵＣＣＨメッセージを伝送し、伝送を開始する第２の時間単位の遅いＰＵＣＣＨメッセージの伝送をやめるための第２の伝送サブモジュール１７１２と、を含んでもよい。
【００６５】
図２０は例示的な一実施例に係るアップリンクメッセージ伝送装置のブロック図であり、図２０に示すように、装置１９０において、前記第１の伝送モジュール１７１は、前記第１のＰＵＣＣＨメッセージ及び前記第２のＰＵＣＣＨメッセージの優先度を比較するための第１の比較サブモジュール１７１３と、前記第１のＰＵＣＣＨメッセージ及び前記第２のＰＵＣＣＨメッセージのうち優先度の高いＰＵＣＣＨメッセージを選択して伝送し、優先度の低いＰＵＣＣＨメッセージの伝送をやめるための第３の伝送サブモジュール１７１４と、を含んでもよい。
【００６６】
図２１は例示的な一実施例に係るアップリンクメッセージ伝送装置のブロック図であり、図２１に示すように、装置１９１において、前記第１の伝送モジュール１７１は、前記第１のＰＵＣＣＨメッセージの伝送を開始する第２の時間単位が前記第２のＰＵＣＣＨメッセージの伝送を開始する第２の時間単位より早い場合、前記第２のＰＵＣＣＨメッセージの伝送を開始する前に、第１のＰＵＣＣＨメッセージを伝送し、前記第１のＰＵＣＣＨメッセージ及び前記第２のＰＵＣＣＨメッセージの優先度を比較するための第２の比較サブモジュール１７１５と、前記第１のＰＵＣＣＨメッセージの優先度が前記第２のＰＵＣＣＨメッセージの優先度より高い場合、前記第１のＰＵＣＣＨメッセージの伝送を続け、前記第２のＰＵＣＣＨメッセージの伝送をやめるための第４の伝送サブモジュール１７１６と、前記第１のＰＵＣＣＨメッセージの優先度が前記第２のＰＵＣＣＨメッセージより低い場合、前記第２のＰＵＣＣＨメッセージの伝送を開始する第２の時間単位から、前記第１のＰＵＣＣＨメッセージの伝送をやめ、前記第２のＰＵＣＣＨメッセージの伝送を開始する第２の時間単位から、前記第２のＰＵＣＣＨメッセージを伝送するための第５の伝送サブモジュール１７１７と、を含んでもよい。
【００６７】
図２２は例示的な一実施例に係るアップリンクメッセージ伝送装置のブロック図であり、図２２に示すように、装置１９２において、前記第１の伝送モジュール１７１は、前記第１のＰＵＣＣＨメッセージ及び前記第２のＰＵＣＣＨメッセージの伝送を開始する前に、前記第１のＰＵＣＣＨメッセージ及び前記第２のＰＵＣＣＨメッセージの優先度を決定するための決定サブモジュール１７１８と、前記第１のＰＵＣＣＨメッセージ及び前記第２のＰＵＣＣＨメッセージのうち優先度の高いＰＵＣＣＨメッセージを伝送し、優先度の低いＰＵＣＣＨメッセージの伝送をやめるための第６の伝送サブモジュール１７１９と、を含んでもよい。
【００６８】
１つの可能な実現形態では、ＰＵＣＣＨメッセージに運ばれるＵＣＩのタイプ、ＰＵＣＣＨメッセージを繰り返して伝送する回数及びＰＵＣＣＨメッセージの時間リソース又は周波数リソースの配置方式のうちの少なくとも１つに基づいて、前記第１のＰＵＣＣＨメッセージ及び前記第２のＰＵＣＣＨメッセージの優先度を比較し、ここで、前記ＵＣＩのタイプは前記ＵＣＩに運ばれる情報のタイプを含み、前記配置方式は半静的配置及び動的配置を含み、前記ＰＵＣＣＨメッセージは前記第１のＰＵＣＣＨメッセージ及び前記第２のＰＵＣＣＨメッセージを含む。
【００６９】
図２３は例示的な一実施例に係るアップリンクメッセージ伝送装置のブロック図であり、図２３に示すように、当該装置２３０は、
少なくとも１つの第１の時間単位で第１のＰＵＣＣＨメッセージ及び第２のＰＵＣＣＨメッセージを同時に伝送する必要がある場合、前記第１のＰＵＣＣＨメッセージにおける第１のＵＣＩ及び前記第２のＰＵＣＣＨメッセージにおける第２のＵＣＩを多重化するための多重化モジュール１７２と、
１つのＰＵＣＣＨメッセージを用いて多重化されたＵＣＩを伝送するための第２の伝送モジュール１７３と、を含む。
【００７０】
図２４は例示的な一実施例に係るアップリンクメッセージ伝送装置のブロック図であり、図２４に示すように、装置２４０において、前記第２の伝送モジュール１７３は、前記第１のＰＵＣＣＨメッセージの伝送を開始する第２の時間単位が前記第２のＰＵＣＣＨメッセージの伝送を開始する第２の時間単位より早い場合、前記第２のＰＵＣＣＨメッセージの伝送を開始する第２の時間単位から、１つのＰＵＣＣＨメッセージを用いて多重化されたＵＣＩを伝送するための第７の伝送サブモジュール１７３１と、前記第１のＰＵＣＣＨメッセージの伝送を開始する第２の時間単位が前記第２のＰＵＣＣＨメッセージの伝送を開始する第２の時間単位より遅い場合、前記第１のＰＵＣＣＨメッセージの伝送を開始する第２の時間単位から、１つのＰＵＣＣＨメッセージを用いて多重化されたＵＣＩを伝送するための第８の伝送サブモジュール１７３２と、を含む。
【００７１】
１つの可能な実現形態では、前記第２の伝送モジュール１７３は、前記第１のＰＵＣＣＨメッセージ、前記第２のＰＵＣＣＨメッセージ又は第３のＰＵＣＣＨメッセージのうちいずれか１つのＰＵＣＣＨメッセージを用いて多重化されたＵＣＩを伝送するための第９の伝送サブモジュールであって、前記第３のＰＵＣＣＨメッセージは前記第１のＰＵＣＣＨメッセージ及び前記第２のＰＵＣＣＨメッセージ以外のＰＵＣＣＨメッセージであり、前記第３のＰＵＣＣＨメッセージは１つの第２の時間単位で伝送されるＰＵＣＣＨメッセージであり、又は前記第３のＰＵＣＣＨメッセージは複数の第２の時間単位で繰り返して伝送されるＰＵＣＣＨメッセージであり、前記第３のＰＵＣＣＨメッセージの伝送を開始する第２の時間単位は前記第１のＰＵＣＣＨメッセージ又は前記第２のＰＵＣＣＨメッセージの伝送を開始する第２の時間単位であるものを含んでもよい。
【００７２】
１つの可能な実現形態では、前記多重化モジュール１７２は、前記第１のＰＵＣＣＨメッセージ及び前記第２のＰＵＣＣＨメッセージを同時に伝送する必要がある前記少なくとも１つの第２の時間単位で前記第１のＵＣＩ及び前記第２のＵＣＩを多重化するための第１の多重化サブモジュールを含んでもよい。
【００７３】
１つの可能な実現形態では、前記多重化モジュール１７２は、前記第１のＰＵＣＣＨメッセージを繰り返して伝送する第２の時間単位で、又は前記第２のＰＵＣＣＨメッセージを繰り返して伝送する複数の第２の時間単位で前記第１のＵＣＩ及び前記第２のＵＣＩを多重化するための第２の多重化サブモジュールを含んでもよい。
【００７４】
１つの可能な実現形態では、前記多重化モジュール１７２は、前記第１のＰＵＣＣＨメッセージがＨＡＲＱ−ＡＣＫ情報の伝送に用いられ、前記第２のＰＵＣＣＨメッセージがＳＲの伝送に用いられる場合、前記ＳＲはユーザ機器が基地局にアップリンクリソースを要求しないことを表すことに用いられるとき、前記第１のＰＵＣＣＨメッセージを繰り返して伝送する複数の第２の時間単位で前記第１のＰＵＣＣＨメッセージを用いて前記ＨＡＲＱ−ＡＣＫ情報を伝送し、前記ＳＲはユーザ機器が基地局にアップリンクリソースを要求することを表すことに用いられるとき、前記第２のＰＵＣＣＨメッセージを繰り返して伝送する複数の第２の時間単位で前記第２のＰＵＣＣＨメッセージを用いて前記ＨＡＲＱ−ＡＣＫ情報を伝送するための第３の多重化サブモジュールを含んでもよい。
【００７５】
上記実施例における装置について、その中の各モジュールが操作を実行する具体的な方式は既に当該方法に関する実施例において詳細に説明しており、ここでは詳細に説明しない。
【００７６】
図２５は例示的な一実施例に係るアップリンクメッセージ伝送装置のブロック図である。例えば、装置８００は、携帯電話、コンピュータ、デジタル放送端末、メッセージ送受信機器、ゲームコンソール、タブレット機器、医療機器、フィットネス機器、パーソナルデジタルアシスタントなどであってもよい。
【００７７】
図２５に示すように、装置８００は、処理コンポーネント８０２、メモリ８０４、電源コンポーネント８０６、マルチメディアコンポーネント８０８、オーディオコンポーネント８１０、入力／出力（Ｉ／Ｏ）のインタフェース８１２、センサコンポーネント８１４、及び通信コンポーネント８１６のうち１つ又は複数のコンポーネントを含んでもよい。
【００７８】
処理コンポーネント８０２は、通常、装置８００の全体の操作、例えば表示、発呼、データ通信、カメラ操作及び記録操作に関する操作を制御する。処理コンポーネント８０２は、上記の方法の全部又は一部のステップを完了するように、コマンドを実行する１つの又は複数のプロセッサ８２０を含んでもよい。また、処理コンポーネント８０２は、処理コンポーネント８０２と他のコンポーネントとの間のインタラクションを容易にするために、１つ又は複数のモジュールを含んでもよい。例えば、処理コンポーネント８０２は、マルチメディアコンポーネント８０８と処理コンポーネント８０２との間のインタラクションを容易にするために、マルチメディアモジュールを含んでもよい。
【００７９】
メモリ８０４は、装置８００における操作をサポートするために、様々なタイプのデータを記憶するように配置される。一例として、これらのデータは、装置８００において操作するためのあらゆるアプリケーションプログラム又は方法のコマンド、連絡先データ、電話帳データ、メッセージ、ピクチャー、ビデオなどを含む。メモリ８０４は、あらゆるタイプの揮発性若しくは不揮発性記憶機器、又はそれらの組み合わせによって実現され、例えば、スタティックランダムアクセスメモリ（ＳＲＡＭ）、電気的消去可能プログラマブル読み出し専用メモリ（ＥＥＰＲＯＭ）、消去可能プログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスク又は光ディスクが挙げられる。
【００８０】
電源コンポーネント８０６は装置８００の各種のコンポーネントに電力を供給する。電源コンポーネント８０６は電源管理システム、１つ又は複数の電源、及び他の装置８００のための電力の生成、管理及び配分に関連するコンポーネントを含んでもよい。
【００８１】
マルチメディア８０８は、前記装置８００とユーザとの間における出力インタフェースを提供するスクリーンを含む。いくつかの実施例では、スクリーンは液晶ディスプレイ（ＬＣＤ）及びタッチパネル（ＴＰ）を含んでもよい。スクリーンがタッチパネルを含めば、スクリーンは、ユーザからの入力信号を受信するように、タッチスクリーンとして実現される。タッチパネルは、タッチ、スライド及びタッチパネル上のジェスチャーを感知するように、１つ又は複数のタッチセンサを含む。前記タッチセンサは、タッチ又はスライドの動作の境界を感知するだけでなく、また、前記タッチ又はスライド操作に関する持続時間及び圧力を検出することができる。いくつかの実施例では、マルチメディア８０８は１つのフロントカメラ及び／又はバックカメラを含む。装置８００が、例えば撮影モード又はビデオモードのような操作モードにある時、フロントカメラ及び／又はバックカメラは外部のマルチメディアデータを受信することができる。各フロントカメラ及びバックカメラは１つの固定式光学レンズシステム、又は焦点距離及び光学ズーム能力を有するものとすることができる。
【００８２】
オーディオコンポーネント８１０はオーディオ信号を出力及び／又は入力するように配置される。例えば、オーディオコンポーネント８１０は１つのマイク（ＭＩＣ）を含み、装置８００が、例えば発呼モード、記録モード及び音声認識モードのような操作モードにある時、マイクは外部のオーディオ信号を受信するように配置される。受信したオーディオ信号は、さらに、メモリ８０４に記憶するか、又は通信コンポーネント８１６を介して送信することができる。いくつかの実施例では、オーディオコンポーネント８１０は、オーディオ信号を出力するためのスピーカーをさらに含む。
【００８３】
Ｉ／Ｏインタフェース８１２は処理コンポーネント８０２と周辺インタフェースとの間にインタフェースを提供し、上記周辺インタフェースはキーボード、クリックホイール、ボタンなどであってもよい。これらのボタンは、ホームボタン、音量ボタン、スタートボタン及びロックボタンを含むが、これらに限定されないものであってもよい。
【００８４】
センサコンポーネント８１４は、装置８００に様々な態様の状態評価を提供するための１つの又は複数のセンサを含む。例えば、センサコンポーネント８１４は、装置８００のオン／オフ状態、例えば装置８００のディスプレイ及びキーパッドのようなコンポーネントの相対的な位置決めを検出することができ、センサコンポーネント８１４は、さらに、装置８００又は装置８００の１つのコンポーネントの位置変化、ユーザと装置８００が接触するか否か、装置８００の方位又は加速／減速、及び装置８００の温度変化を検出することができる。センサコンポーネン８１４は、いかなる物理的接触がない時に、付近における物体の存在を検出するように配置される接近センサを含んでもよい。センサコンポーネン８１４は、例えばＣＭＯＳ又はＣＣＤ画像センサのような、イメージング用途に用いられる光センサをさらに含んでもよい。いくつかの実施例では、当該センサコンポーネン８１４は、加速度センサ、ジャイロセンサ、磁気センサ、圧力センサ、又は温度センサをさらに含んでもよい。
【００８５】
通信コンポーネン８１６は、装置８００と他の機器との間の有線又は無線方式の通信を容易にするように配置される。装置８００は、ＷｉＦｉ、２Ｇ若しくは３Ｇ、又はこれらの組み合わせなどの通信規格に基づく無線ネットワークにアクセスすることができる。１つの例示的な実施例において、通信コンポーネン８１６は放送チャネルを介して外部の放送管理システムからの放送信号や放送関連情報を受信する。１つの例示的な実施例において、前記通信コンポーネン８１６は、近距離通信を促進するように、近距離無線通信（ＮＦＣ）モジュールをさらに含む。例えば、ＮＦＣモジュールにおいて無線周波数識別（ＲＦＩＤ）技術、赤外線データ協会（ＩｒＤＡ）技術、超広帯域（ＵＷＢ）技術、ブルートゥース（登録商標）（ＢＴ）技術及び他の技術に基づいて実現することができる。
【００８６】
例示的な実施例では、装置８００は、上記方法を実行するために、１つ又はそれ以上の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、コントローラ、マイクロコントローラ、マイクロプロセッサ、又は他の電子素子によって実装されてもよい。
【００８７】
例示的な実施例では、上記方法を完了するように装置８００のプロセッサ８２０によって実行可能なコマンドを含むメモリ８０４のような、コマンドを含む非一時的なコンピュータ読み取り可能な記憶媒体がさらに提供される。例えば、前記非一時的コンピュータ読み取り可能な記憶媒体は、ＲＯＭ、ランダムアクセスメモリ（ＲＡＭ）、ＣＤ−ＲＯＭ、磁気テープ、フロッピーディスク、光データ記憶装置などであってもよい。
【００８８】
当業者であれば、本明細書を考慮し本明細書に開示される本発明を実施した後、本開示の他の実施形態を容易に想到し得るであろう。本願は本開示のあらゆる変形、用途又は適応変化をカバーすることを意図し、これらの変形、用途又は適応変化は本開示の一般的な原理に従い、かつ本開示に開示されていない当該技術分野における公知常識又は慣用技術手段を含む。本明細書及び実施例は、例示的なもののみとしてみなされ、本開示の真の範囲及び精神は、以下の特許請求の範囲によって示される。
【００８９】
本開示は、以上に説明され図面に示された厳密な構造に限定されるものではなく、その範囲から逸脱することなく様々な補正及び変更を行うことが可能であることを理解されたい。本開示の範囲は、添付の特許請求の範囲のみによって限定される。
【図１】
2021533642.tif 000003
【図２】
2021533642.tif 000004
【図３Ａ】
2021533642.tif 000005
【図３Ｂ】
2021533642.tif 000006
【図４】
2021533642.tif 000007
【図５】
2021533642.tif 000008
【図６Ａ】
2021533642.tif 000009
【図６Ｂ】
2021533642.tif 000010
【図７】
2021533642.tif 000011
【図８Ａ】
2021533642.tif 000012
【図８Ｂ】
2021533642.tif 000013
【図９】
2021533642.tif 000014
【図１０】
2021533642.tif 000015
【図１１】
2021533642.tif 000016
【図１２】
2021533642.tif 000017
【図１３Ａ】
2021533642.tif 000018
【図１３Ｂ】
2021533642.tif 000019
【図１４】
2021533642.tif 000020
【図１５】
2021533642.tif 000021
【図１６Ａ】
2021533642.tif 000022
【図１６Ｂ】
2021533642.tif 000023
【図１７Ａ】
2021533642.tif 000024
【図１７Ｂ】
2021533642.tif 000025
【図１８】
2021533642.tif 000026
【図１９】
2021533642.tif 000027
【図２０】
2021533642.tif 000028
【図２１】
2021533642.tif 000029
【図２２】
2021533642.tif 000030
【図２３】
2021533642.tif 000031
【図２４】
2021533642.tif 000032
【図２５】
2021533642.tif 000033
【手続補正書】
【提出日】令和3年2月2日(2021.2.2)
【手続補正１】
【補正対象書類名】特許請求の範囲
【補正対象項目名】全文
【補正方法】変更
【補正の内容】
【特許請求の範囲】
【請求項１】
アップリンクメッセージ伝送方法であって、
少なくとも１つの第１の時間単位で第１の物理アップリンク制御チャネルＰＵＣＣＨメッセージ及び第２のＰＵＣＣＨメッセージを同時に伝送する必要がある場合、前記第１のＰＵＣＣＨメッセージ及び前記第２のＰＵＣＣＨメッセージのうち１つのＰＵＣＣＨメッセージを伝送し、別のＰＵＣＣＨメッセージの伝送をやめるステップであって、前記第１のＰＵＣＣＨメッセージは複数の第２の時間単位で繰り返して伝送されるＰＵＣＣＨメッセージであり、前記第２のＰＵＣＣＨメッセージは１つの第２の時間単位で伝送されるＰＵＣＣＨメッセージ、又は複数の第２の時間単位で伝送されるＰＵＣＣＨメッセージであり、ここで、前記第２の時間単位は複数の前記第１の時間単位を含むステップを含む、
ことを特徴とするアップリンクメッセージ伝送方法。
【請求項２】
前記第１のＰＵＣＣＨメッセージ及び前記第２のＰＵＣＣＨメッセージのうち１つのＰＵＣＣＨメッセージを伝送し、別のＰＵＣＣＨメッセージの伝送をやめるステップは、
前記第１のＰＵＣＣＨメッセージ及び前記第２のＰＵＣＣＨメッセージの伝送を開始する第２の時間単位が同じである場合、前記第１のＰＵＣＣＨメッセージ及び前記第２のＰＵＣＣＨメッセージのうち伝送を開始する第１の時間単位の早いＰＵＣＣＨメッセージを伝送し、伝送を開始する第１の時間単位の遅いＰＵＣＣＨメッセージの伝送をやめるステップと、
前記第１のＰＵＣＣＨメッセージ及び前記第２のＰＵＣＣＨメッセージの伝送を開始する第２の時間単位が異なる場合、前記第１のＰＵＣＣＨメッセージ及び前記第２のＰＵＣＣＨメッセージのうち伝送を開始する第２の時間単位の早いＰＵＣＣＨメッセージを伝送し、伝送を開始する第２の時間単位の遅いＰＵＣＣＨメッセージの伝送をやめるステップと、を含む、
ことを特徴とする請求項１に記載の方法。
【請求項３】
前記第１のＰＵＣＣＨメッセージ及び前記第２のＰＵＣＣＨメッセージのうち１つのＰＵＣＣＨメッセージを伝送し、別のＰＵＣＣＨメッセージの伝送をやめるステップは、
前記第１のＰＵＣＣＨメッセージ及び前記第２のＰＵＣＣＨメッセージの優先度を比較するステップと、
前記第１のＰＵＣＣＨメッセージ及び前記第２のＰＵＣＣＨメッセージのうち優先度の高いＰＵＣＣＨメッセージを選択して伝送し、優先度の低いＰＵＣＣＨメッセージの伝送をやめるステップと、を含む、
ことを特徴とする請求項１に記載の方法。
【請求項４】
前記第１のＰＵＣＣＨメッセージ及び前記第２のＰＵＣＣＨメッセージのうち１つのＰＵＣＣＨメッセージを伝送し、別のＰＵＣＣＨメッセージの伝送をやめるステップは、
前記第１のＰＵＣＣＨメッセージの伝送を開始する第２の時間単位が前記第２のＰＵＣＣＨメッセージの伝送を開始する第２の時間単位より早い場合、前記第２のＰＵＣＣＨメッセージの伝送を開始する前に、前記第１のＰＵＣＣＨメッセージを伝送し、前記第１のＰＵＣＣＨメッセージ及び前記第２のＰＵＣＣＨメッセージの優先度を比較するステップと、
前記第１のＰＵＣＣＨメッセージの優先度が前記第２のＰＵＣＣＨメッセージの優先度より高い場合、前記第１のＰＵＣＣＨメッセージの伝送を続け、前記第２のＰＵＣＣＨメッセージの伝送をやめるステップと、
前記第１のＰＵＣＣＨメッセージの優先度が前記第２のＰＵＣＣＨメッセージの優先度より低い場合、前記第２のＰＵＣＣＨメッセージの伝送を開始する第２の時間単位から、前記第１のＰＵＣＣＨメッセージの伝送をやめ、前記第２のＰＵＣＣＨメッセージの伝送を開始する第２の時間単位から、前記第２のＰＵＣＣＨメッセージを伝送するステップと、を含む、
ことを特徴とする請求項１に記載の方法。
【請求項５】
前記第１のＰＵＣＣＨメッセージ及び前記第２のＰＵＣＣＨメッセージのうち１つのＰＵＣＣＨメッセージを伝送し、別のＰＵＣＣＨメッセージの伝送をやめるステップは、
前記第１のＰＵＣＣＨメッセージ及び前記第２のＰＵＣＣＨメッセージの伝送を開始する前に、前記第１のＰＵＣＣＨメッセージ及び前記第２のＰＵＣＣＨメッセージの優先度を決定するステップと、
前記第１のＰＵＣＣＨメッセージ及び前記第２のＰＵＣＣＨメッセージのうち優先度の高いＰＵＣＣＨメッセージを伝送し、優先度の低いＰＵＣＣＨメッセージの伝送をやめるステップと、を含む、
ことを特徴とする請求項１に記載の方法。
【請求項６】
ＰＵＣＣＨメッセージに運ばれるＵＣＩのタイプ、ＰＵＣＣＨメッセージを繰り返して伝送する回数及びＰＵＣＣＨメッセージの時間リソース又は周波数リソースの配置方式のうちの少なくとも１つに基づいて、前記第１のＰＵＣＣＨメッセージ及び前記第２のＰＵＣＣＨメッセージの優先度を比較し、ここで、前記ＵＣＩのタイプは前記ＵＣＩに運ばれる情報のタイプを含み、前記配置方式は半静的配置及び動的配置を含み、前記ＰＵＣＣＨメッセージは前記第１のＰＵＣＣＨメッセージ及び前記第２のＰＵＣＣＨメッセージを含む、
ことを特徴とする請求項３から５のいずれかに記載の方法。
【請求項７】
少なくとも１つの第１の時間単位で第１の物理アップリンク制御チャネルＰＵＣＣＨメッセージ及び第２のＰＵＣＣＨメッセージを同時に伝送する必要がある場合、前記第１のＰＵＣＣＨメッセージにおける第１のアップリンク制御情報ＵＣＩ及び前記第２のＰＵＣＣＨメッセージにおける第２のＵＣＩを多重化するステップと、
１つのＰＵＣＣＨメッセージを用いて多重化されたＵＣＩを伝送するステップと、を含む、
ことを特徴とするアップリンクメッセージ伝送方法。
【請求項８】
１つのＰＵＣＣＨメッセージを用いて多重化されたＵＣＩを伝送するステップは、
前記第１のＰＵＣＣＨメッセージの伝送を開始する第２の時間単位が前記第２のＰＵＣＣＨメッセージの伝送を開始する第２の時間単位より早い場合、前記第２のＰＵＣＣＨメッセージの伝送を開始する第２の時間単位から、１つのＰＵＣＣＨメッセージを用いて多重化されたＵＣＩを伝送するステップと、
前記第１のＰＵＣＣＨメッセージの伝送を開始する第２の時間単位が前記第２のＰＵＣＣＨメッセージの伝送を開始する第２の時間単位より遅い場合、前記第１のＰＵＣＣＨメッセージの伝送を開始する第２の時間単位から、１つのＰＵＣＣＨメッセージを用いて多重化されたＵＣＩを伝送するステップと、を含む、
ことを特徴とする請求項７に記載の方法。
【請求項９】
１つのＰＵＣＣＨメッセージを用いて多重化されたＵＣＩを伝送するステップは、
前記第１のＰＵＣＣＨメッセージ、前記第２のＰＵＣＣＨメッセージ又は第３のＰＵＣＣＨメッセージのうちいずれか１つのＰＵＣＣＨメッセージを用いて多重化されたＵＣＩを伝送するステップであって、前記第３のＰＵＣＣＨメッセージは前記第１のＰＵＣＣＨメッセージ及び前記第２のＰＵＣＣＨメッセージ以外のＰＵＣＣＨメッセージであり、前記第３のＰＵＣＣＨメッセージは１つの第２の時間単位で伝送されるＰＵＣＣＨメッセージであり、又は前記第３のＰＵＣＣＨメッセージは複数の第２の時間単位で繰り返して伝送されるＰＵＣＣＨメッセージであり、前記第３のＰＵＣＣＨメッセージの伝送を開始する第２の時間単位は前記第１のＰＵＣＣＨメッセージ又は前記第２のＰＵＣＣＨメッセージの伝送を開始する第２の時間単位であるステップを含む、
ことを特徴とする請求項７に記載の方法。
【請求項１０】
前記第１のＰＵＣＣＨメッセージにおける第１のＵＣＩ及び前記第２のＰＵＣＣＨメッセージにおける第２のＵＣＩを多重化するステップは、
前記第１のＰＵＣＣＨメッセージ及び前記第２のＰＵＣＣＨメッセージを同時に伝送する必要がある前記少なくとも１つの第２の時間単位で前記第１のＵＣＩ及び前記第２のＵＣＩを多重化するステップを含む、
ことを特徴とする請求項７に記載の方法。
【請求項１１】
前記第１のＰＵＣＣＨメッセージにおける第１のＵＣＩ及び前記第２のＰＵＣＣＨメッセージにおける第２のＵＣＩを多重化するステップは、
前記第１のＰＵＣＣＨメッセージを繰り返して伝送する第２の時間単位で、又は前記第２のＰＵＣＣＨメッセージを繰り返して伝送する複数の第２の時間単位で前記第１のＵＣＩ及び前記第２のＵＣＩを多重化するステップを含む、
ことを特徴とする請求項７に記載の方法。
【請求項１２】
前記第１のＰＵＣＣＨメッセージを繰り返して伝送する複数の第２の時間単位で、又は前記第２のＰＵＣＣＨメッセージを繰り返して伝送する複数の第２の時間単位で前記第１のＵＣＩ及び前記第２のＵＣＩを多重化するステップは、
前記第１のＰＵＣＣＨメッセージがハイブリッド自動再送要求確認ＨＡＲＱ−ＡＣＫ情報の伝送に用いられ、前記第２のＰＵＣＣＨメッセージがスケジューリング要求ＳＲの伝送に用いられる場合、前記ＳＲはユーザ機器が基地局にアップリンクリソースを要求しないことを表すことに用いられるとき、前記第１のＰＵＣＣＨメッセージを繰り返して伝送する複数の第２の時間単位で前記第１のＰＵＣＣＨメッセージを用いて前記ＨＡＲＱ−ＡＣＫ情報を伝送し、前記ＳＲはユーザ機器が基地局にアップリンクリソースを要求することを表すことに用いられるとき、前記第２のＰＵＣＣＨメッセージを繰り返して伝送する複数の第２の時間単位で前記第２のＰＵＣＣＨメッセージを用いて前記ＨＡＲＱ−ＡＣＫ情報を伝送するステップを含む、
ことを特徴とする請求項１１に記載の方法。
【請求項１３】
アップリンクメッセージ伝送装置であって、
少なくとも１つの第１の時間単位で第１の物理アップリンク制御チャネルＰＵＣＣＨメッセージ及び第２のＰＵＣＣＨメッセージを同時に伝送する必要がある場合、前記第１のＰＵＣＣＨメッセージ及び前記第２のＰＵＣＣＨメッセージのうち１つのＰＵＣＣＨメッセージを伝送し、別のＰＵＣＣＨメッセージの伝送をやめるための第１の伝送モジュールであって、前記第１のＰＵＣＣＨメッセージは複数の第２の時間単位で繰り返して伝送されるＰＵＣＣＨメッセージであり、前記第２のＰＵＣＣＨメッセージは１つの第２の時間単位で伝送されるＰＵＣＣＨメッセージ、又は複数の第２の時間単位で伝送されるＰＵＣＣＨメッセージであり、ここで、前記第２の時間単位は複数の前記第１の時間単位を含むものを含む、
ことを特徴とするアップリンクメッセージ伝送装置。
【請求項１４】
少なくとも１つの第１の時間単位で第１のＰＵＣＣＨメッセージ及び第２のＰＵＣＣＨメッセージを同時に伝送する必要がある場合、前記第１のＰＵＣＣＨメッセージにおける第１のアップリンク制御情報ＵＣＩ及び前記第２のＰＵＣＣＨメッセージにおける第２のＵＣＩを多重化するための多重化モジュールと、
１つのＰＵＣＣＨメッセージを用いて多重化されたＵＣＩを伝送するための第２の伝送モジュールと、を含む、
ことを特徴とするアップリンクメッセージ伝送装置。
【請求項１５】
プロセッサと、
プロセッサによって実行可能なコマンドを記憶するためのメモリと、を含み、
前記実行可能なコマンドが前記プロセッサによって実行された場合、請求項１から６のいずれかに記載の方法が実行される、
ことを特徴とするアップリンクメッセージ伝送装置。
【請求項１６】
プロセッサと、
プロセッサによって実行可能なコマンドを記憶するためのメモリと、を含み、
前記実行可能なコマンドが前記プロセッサによって実行された場合、請求項７から１２のいずれかに記載の方法が実行される、
ことを特徴とするアップリンクメッセージ伝送装置。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】変更
【補正の内容】
【００２８】
本開示の第５の態様により提供されるアップリンクメッセージ伝送装置は、プロセッサと、プロセッサによって実行可能なコマンドを記憶するためのメモリと、を含み、前記実行可能なコマンドが前記プロセッサによって実行された場合は、第１の態様の方法が実行される。
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】変更
【補正の内容】
【００３０】
本開示の第６の態様により提供されるアップリンクメッセージ伝送装置は、プロセッサと、プロセッサによって実行可能なコマンドを記憶するためのメモリと、を含み、前記実行可能なコマンドが前記プロセッサによって実行された場合は、第２の態様の方法が実行される。
【手続補正１５】
【補正対象書類名】明細書
【補正対象項目名】００３１
【補正方法】削除
【補正の内容】
【国際調査報告】
2021533642.tif 000034
2021533642.tif 000035
2021533642.tif 000036
2021533642.tif 000037